(57)【特許請求の範囲】
【請求項１】
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、前記第１レンズ群と、前記第２レンズ群と、前記第３レンズ群と、前記第４レンズ群と、前記第５レンズ群との空気間隔は互いに変化し、
前記第２レンズ群は複数のレンズで構成され、
物体側から順に、正レンズ、正レンズ及び接合レンズとからなる構成が、前記第３レンズ群に含まれており、前記接合レンズは、物体側から順に、負レンズと正レンズとからなり、
前記第５レンズ群は、１枚の負レンズと１枚の正レンズとからなり、
以下の条件式（１’）、（２）を満足することを特徴とするズームレンズ。
−８．３≦ｆ１Ｇ／ｆ２Ｇ≦−６．５      （１’）
２２≦ν２２ｎ−ν２１ｎ≦６０      （２）
ただし、
ｆ１Ｇは、前記第１レンズ群の焦点距離、
ｆ２Ｇは、前記第２レンズ群の焦点距離、
ν２１ｎは、前記第２レンズ群の最も物体側に配置された負の焦点距離を持つレンズのｄ線でのアッベ数、
ν２２ｎは、前記第２レンズ群の物体側から空気間隔を挟んで２番目に配置された負の焦点距離を持つレンズのｄ線でのアッベ数、
である。
【請求項２】
広角端から望遠端への変倍の際に、
前記第１レンズ群と前記第２レンズ群の空気間隔は広がり、
前記第２レンズ群と前記第３レンズ群の空気間隔は狭まり、
前記第３レンズ群と前記第４レンズ群の空気間隔は広がり、
前記第４レンズ群と前記第５レンズ群の空気間隔は広がることを特徴とする請求項１に
記載のズームレンズ。
【請求項３】
以下の条件式（３）を満足することを特徴とする請求項１又は２に記載のズームレンズ。
５０≦νｄＧ２Ｎ      （３）
ただし、
νｄＧ２Ｎは、前記第２レンズ群内に配置された負レンズのｄ線でのアッベ数のうち、最大となるアッベ数、
である。
【請求項４】
以下の条件式（４）を満足することを特徴とする請求項１から３のいずれか一項に記載のズームレンズ。
１．８５≦ｎｄＧ２Ｐ      （４）
ただし、
ｎｄＧ２Ｐは、第２レンズ群内に配置された正レンズのｄ線での屈折率のうち、最大となる屈折率、
である。
【請求項５】
以下の条件式（５）、（６）を満足することを特徴とする請求項１から４のいずれか一項に記載のズームレンズ。
５５≦νｄＧ２Ｌ２Ｎ      （５）
ｎｄＧ２Ｌ２Ｎ≦１．６５      （６）
ただし、
νｄＧ２Ｌ２Ｎは、前記第２レンズ群の物体側から空気間隔を挟んで２番目に配置された負の焦点距離を持つレンズのｄ線でのアッベ数、
ｎｄＧ２Ｌ２Ｎは、前記第２レンズ群の物体側から空気間隔を挟んで２番目に配置された負の焦点距離を持つレンズのｄ線での屈折率、
である。
【請求項６】
以下の条件式（７）を満足することを特徴とする請求項１から５のいずれか一項に記載のズームレンズ。
０．６≦（β２Ｗ／β３Ｗ）／（β２Ｔ／β３Ｔ）≦１．７      （７）
ただし、
β２Ｗは、広角端での前記第２レンズ群の横倍率、
β３Ｗは、広角端での前記第３レンズ群の横倍率、
β２Ｔは、望遠端での前記第２レンズ群の横倍率、
β３Ｔは、望遠端での前記第３レンズ群の横倍率、
である。
【請求項７】
以下の条件式（８）を満足することを特徴とする請求項１から６のいずれか一項に記載のズームレンズ。
０．８５≦ｆ１Ｇ／ｆＴ≦１．６５      （８）
ただし、
ｆ１Ｇは、前記第１レンズ群の焦点距離、
ｆＴは、望遠端での前記ズームレンズ全系の焦点距離、
である。
【請求項８】
以下の条件式（９）を満足することを特徴とする請求項１から７のいずれか一項に記載のズームレンズ。
０．２≦ｆＧ２Ｆ／ｆＧ２≦１．３５      （９）
ただし、
ｆＧ２Ｆは、前記第２レンズ群の最も物体側に配置されたレンズの焦点距離、
ｆＧ２は、前記第２レンズ群の焦点距離、
である。
【請求項９】
以下の条件式（１０）を満足することを特徴とする請求項１から８のいずれか一項に記載のズームレンズ。
０．２≦（ＲＧ２１＋ＲＧ２２）／（ＲＧ２１−ＲＧ２２）≦１．８      （１０）
ただし、
ＲＧ２１は、前記第２レンズ群の最も物体側に配置されたレンズの物体側面の曲率半径、
ＲＧ２２は、前記第２レンズ群の最も像側に配置されたレンズの像側面の曲率半径、
である。
【請求項１０】
以下の条件式（１１）を満足することを特徴とする請求項１から９のいずれか一項に記載のズームレンズ。
−０．３≦（ＲＧ２Ｌ１Ｒ＋ＲＧ２Ｌ２Ｆ）／（ＲＧ２Ｌ１Ｒ−ＲＧ２Ｌ２Ｆ）≦１  
（１１）
ただし、
ＲＧ２Ｌ１Ｒは、前記第２レンズ群の最も物体側に配置されたレンズの像側面の曲率半径、
ＲＧ２Ｌ２Ｆは、前記第２レンズ群の物体側から空気間隔を挟んで２番目に配置されたレンズの物体側面の曲率半径、
である。
【請求項１１】
以下の条件式（１２）を満足することを特徴とする請求項１から１０のいずれか一項に記載のズームレンズ。
０．３≦ｎｄＧ２ＣＰ−ｎｄＧ２ＣＮ      （１２）
ただし、
ｎｄＧ２ＣＰは、前記第２レンズ群内の接合されている正レンズのｄ線での屈折率、
ｎｄＧ２ＣＮは、前記第２レンズ群内の接合されている負レンズのｄ線での屈折率、であって、
前記第２レンズ群が接合レンズを複数含む場合は、
ｎｄＧ２ＣＰは、前記接合されている正レンズのｄ線での屈折率のうち、最大となる屈折率、
ｎｄＧ２ＣＮは、前記接合されている負レンズのｄ線での屈折率のうち、最小となる屈折率、
である。
【請求項１２】
以下の条件式（１３）を満足することを特徴とする請求項１から１１のいずれか一項に記載のズームレンズ。
２５≦νｄＧ２ＣＮ−νｄＧ２ＣＰ      （１３）
ただし、
νｄＧ２ＣＰは、前記第２レンズ群内の接合されている正レンズのｄ線でのアッベ数、
νｄＧ２ＣＮは、前記第２レンズ群内の接合されている負レンズのｄ線でのアッベ数、であって、前記第２レンズ群が接合レンズを複数含む場合は、
νｄＧ２ＣＰは、前記接合されている正レンズのｄ線でのアッベ数のうち、最小となるアッベ数、
νｄＧ２ＣＮは、前記接合されている負レンズのｄ線でのアッベ数のうち、最大となるアッベ数、
である。
【請求項１３】
以下の条件式（１４）を満足することを特徴とする請求項１から１２のいずれか一項に記載のズームレンズ。
−５≦（ＲＧ２Ｒ１＋ＲＧ２Ｒ２）／（ＲＧ２Ｒ１−ＲＧ２Ｒ２）≦−２      （１４）
ただし、
ＲＧ２Ｒ１は、前記第２レンズ群の最も像側に配置されたレンズの物体側面の曲率半径、
ＲＧ２Ｒ２は、前記第２レンズ群の最も像側に配置されたレンズの像側面の曲率半径、である。
【請求項１４】
以下の条件式（１５）を満足することを特徴とする請求項１から１３のいずれか一項に記載のズームレンズ。
１．５≦（ＲＧ２ｒ２ＲＲ＋ＲＧ２ｒ１ＲＦ）／（ＲＧ２ｒ２ＲＲ−ＲＧ２ｒ１ＲＦ)
≦４．５      （１５）
ただし、
ＲＧ２ｒ２ＲＲは、前記第２レンズ群の像側から空気間隔を挟んで２番目に配置されたレンズの像側面の曲率半径、
ＲＧ２ｒ１ＲＦは、前記第２レンズ群の最も像側に配置されたレンズの物体側面の曲率半径、
である。
【請求項１５】
以下の条件式（１６）を満足することを特徴とする請求項１から１４のいずれか一項に記載のズームレンズ。
−０．５≦（ＲＧ２ＰＦ＋ＲＧ２ＰＲ）／（ＲＧ２ＰＦ−ＲＧ２ＰＲ）≦０．５      （１６）
ただし、
ＲＧ２ＰＦは、前記第２レンズ群の最も像側に配置された正レンズの物体側面の曲率半径、
ＲＧ２ＰＲは、前記第２レンズ群の最も像側に配置された正レンズの像側面の曲率半径、
である。
【請求項１６】
以下の条件式（１７）を満足することを特徴とする請求項１から１５のいずれか一項に記載のズームレンズ。
−２．５≦ｆＴ／ＥｘｐＴ≦０．３      （１７）
ただし、
ｆＴは、望遠端での前記ズームレンズ全系の焦点距離、
ＥｘｐＴは、望遠端での近軸結像面基準の射出瞳位置、
である。
【請求項１７】
以下の条件式（１８）を満足することを特徴とする請求項１から１６のいずれか一項に記載のズームレンズ。
０．２≦ｆ３Ｇ／ｆＴ≦０．３３      （１８）
ただし、
ｆ３Ｇは、前記第３レンズ群の焦点距離、
ｆＴは、望遠端での前記ズームレンズ全系の焦点距離、
である。
【請求項１８】
光軸と垂直方向に移動する移動レンズを有し、
以下の条件式（１９）を満足することを特徴とする請求項１から１７のいずれか一項に記載のズームレンズ。
１．２≦ｆＩＳ／ｆＩＳＧ≦３      （１９）
ただし、
ｆＩＳは、前記移動レンズの焦点距離、
ｆＩＳＧは、前記移動レンズを有するレンズ群の焦点距離、
である。
【請求項１９】
前記第３レンズ群に配置されているレンズを光軸と垂直方向に移動させることを特徴とする請求項１から１８のいずれか一項に記載のズームレンズ。
【請求項２０】
以下の条件式（１”）を満足することを特徴とする請求項１から１９のいずれか一項に記載のズームレンズ。
−８．２２≦ｆ１Ｇ／ｆ２Ｇ≦−６．５      （１”）
ただし、
ｆ１Ｇは、前記第１レンズ群の焦点距離、
ｆ２Ｇは、前記第２レンズ群の焦点距離、
である。
【請求項２１】
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、前記第１レンズ群と、前記第２レンズ群と、前記第３レンズ群と、前記第４レンズ群と、前記第５レンズ群との空気間隔は互いに変化し、
前記第２レンズ群は複数のレンズで構成され、
物体側から順に、正レンズ、正レンズ及び接合レンズとからなる構成が、前記第３レンズ群に含まれており、前記接合レンズは、物体側から順に、負レンズと正レンズとからなり、
前記第５レンズ群は、１枚の負レンズと１枚の正レンズとからなり、
以下の条件式（１）、（２）、（８）を満足することを特徴とするズームレンズ。
−８．５≦ｆ１Ｇ／ｆ２Ｇ≦−６．５      （１）
２２≦ν２２ｎ−ν２１ｎ≦６０      （２）
０．８５≦ｆ１Ｇ／ｆＴ≦１．６５      （８）
ただし、
ｆ１Ｇは、前記第１レンズ群の焦点距離、
ｆ２Ｇは、前記第２レンズ群の焦点距離、
ν２１ｎは、前記第２レンズ群の最も物体側に配置された負の焦点距離を持つレンズのｄ線でのアッベ数、
ν２２ｎは、前記第２レンズ群の物体側から空気間隔を挟んで２番目に配置された負の焦点距離を持つレンズのｄ線でのアッベ数、
ｆＴは、望遠端での前記ズームレンズ全系の焦点距離、
である。
【請求項２２】
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、前記第１レンズ群と、前記第２レンズ群と、前記第３レンズ群と、前記第４レンズ群と、前記第５レンズ群との空気間隔は互いに変化し、
前記第２レンズ群は複数のレンズで構成され、
物体側から順に、正レンズ、正レンズ及び接合レンズとからなる構成が、前記第３レンズ群に含まれており、前記接合レンズは、物体側から順に、負レンズと正レンズとからなり、
前記第５レンズ群は、１枚の負レンズと１枚の正レンズとからなり、
以下の条件式（１）、（２）、（９）を満足することを特徴とするズームレンズ。
−８．５≦ｆ１Ｇ／ｆ２Ｇ≦−６．５      （１）
２２≦ν２２ｎ−ν２１ｎ≦６０      （２）
０．２≦ｆＧ２Ｆ／ｆＧ２≦１．３５      （９）
ただし、
ｆ１Ｇは、前記第１レンズ群の焦点距離、
ｆ２Ｇは、前記第２レンズ群の焦点距離、
ν２１ｎは、前記第２レンズ群の最も物体側に配置された負の焦点距離を持つレンズのｄ線でのアッベ数、
ν２２ｎは、前記第２レンズ群の物体側から空気間隔を挟んで２番目に配置された負の焦点距離を持つレンズのｄ線でのアッベ数、
ｆＧ２Ｆは、前記第２レンズ群の最も物体側に配置されたレンズの焦点距離、
である。
【請求項２３】
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、前記第１レンズ群と、前記第２レンズ群と、前記第３レンズ群と、前記第４レンズ群と、前記第５レンズ群との空気間隔は互いに変化し、
前記第２レンズ群は複数のレンズで構成され、
物体側から順に、正レンズ、正レンズ及び接合レンズとからなる構成が、前記第３レンズ群に含まれており、前記接合レンズは、物体側から順に、負レンズと正レンズとからなり、
前記第５レンズ群は、１枚の負レンズと１枚の正レンズとからなり、
以下の条件式（１）、（２）、（１８）を満足することを特徴とするズームレンズ。
−８．５≦ｆ１Ｇ／ｆ２Ｇ≦−６．５      （１）
２２≦ν２２ｎ−ν２１ｎ≦６０      （２）
０．２≦ｆ３Ｇ／ｆＴ≦０．３３      （１８）
ただし、
ｆ１Ｇは、前記第１レンズ群の焦点距離、
ｆ２Ｇは、前記第２レンズ群の焦点距離、
ν２１ｎは、前記第２レンズ群の最も物体側に配置された負の焦点距離を持つレンズのｄ線でのアッベ数、
ν２２ｎは、前記第２レンズ群の物体側から空気間隔を挟んで２番目に配置された負の焦点距離を持つレンズのｄ線でのアッベ数、
ｆ３Ｇは、前記第３レンズ群の焦点距離、
ｆＴは、望遠端での前記ズームレンズ全系の焦点距離、
である。
【請求項２４】
請求項１から２３のいずれか一項に記載のズームレンズと、
前記ズームレンズにより形成した像を電気信号に変換する撮像素子と、を有することを特徴とする撮像装置。
【発明の詳細な説明】
【技術分野】
【０００１】
本発明は、ズームレンズ及びそれを備えた撮像装置に関する。
【背景技術】
【０００２】
デジタルカメラの様な電子撮像素子を用いたカメラでは、小型化、軽量化及び低コスト化が進んでいる。これらを更に進めるためには、ボディの小型化と光学系の小型化が更に必要である。
【０００３】
また、光学系には、例えば、２つの撮影ニーズがある。１つ目の撮影ニーズは、大きな建造物を撮影したいというニーズや、広大な背景をバックにした記念撮影を行いたいというニーズである。２つ目の撮影ニーズは、広い範囲の撮影から被写体の拡大撮影までを１つの撮影レンズで行いたいというニーズである。
【０００４】
１つ目の撮影ニーズを満たすためには、光学系の画角をより広くすることが必要になる。２つ目の撮影ニーズを満たすためには、光学系の変倍比をより大きくすることが必要になる。２つの撮影ニーズを満足する光学系としては、例えば、半画角が４０度以上で、変倍比が６倍以上のズームレンズがある。このような仕様を持つズームレンズは、様々な撮影シーンで使えるので、使い易いズームレンズということができる。
【０００５】
特許文献１、２及び３には、５つのレンズ群で構成されたズームレンズが開示されている。これらのズームレンズは、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、で構成されている。
【先行技術文献】
【特許文献】
【０００６】
【特許文献１】特開２００３−２５５２２８号公報
【特許文献２】特開２００９−２８２３９８号公報
【特許文献３】特開平８−１９００５１号公報
【発明の概要】
【発明が解決しようとする課題】
【０００７】
ズームレンズには、広角になるほど、また変倍比が大きくなるほど光学系の外径が大きくなり、また、光学系の全長が長くなるという傾向がある。そのため、広画角化と高変倍比化を行おうとすると、光学系が大型化してしまう。その結果、カメラも大型化するので、携帯性や機動性が悪化してしまう。また、レンズ交換タイプのカメラでは、ズームレンズ自体の携帯性や機動性が悪化してしまう。
【０００８】
広い画角と大きな変倍比を確保しながら、光学系を小型化するためには、特に望遠側のＦナンバーを大きくすることが有効である。例えば、望遠側のＦナンバーを５．６以上にすることで、光学系の外径を小さくすることができる。
【０００９】
また、望遠側での光束径が小さくなることで、収差の発生量が少なくなる。光学系の各レンズには、収差を補正する役割と所定の仕様を達成する役割とが与えられている。収差の発生量が少なくなると、収差を補正する役割における負担割合が減少する。そこで、その減少分を、所望の仕様の達成、例えば、光学系の小型化に使用することができる。このように、望遠側のＦナンバーを大きくすることで、広い画角と大きな変倍比を確保しながら、光学系の小型化が達成できる。
【００１０】
しかしながら、望遠側のＦナンバーを大きくすると、光束が細くなるので、光学像が暗くなる。そのため、望遠側のＦナンバーを大きくすると、手ブレの発生や被写体ブレの発生が増大する。この場合、撮影者の意図通りの撮影ができないケースや、シャッターチャンスを逃すケースが生じやすくなる。また、シャッターチャンスを逃さないためにはＡＦ速度の高速化や手振れ補正の高速化も重要となる。
【００１１】
特許文献１のズームレンズは、変倍比が小さく、また、焦点距離に対する全長が長い。特許文献２のズームレンズは、望遠側のＦナンバーが大きい。特許文献３のズームレンズは、画角が狭く、また、焦点距離に対する全長が長い。
【００１２】
本発明は、このような課題に鑑みてなされたものであって、小型でありながら、広い画角と大きな変倍比を有し、収差が良好に補正されたズームレンズ及びそれを備えた撮像装置を提供することを目的とする。また、Ｆナンバーが小さく、望遠端での撮影時に手ブレの発生が少ないズームレンズ及びそれを備えた撮像装置を提供することを目的とする。
【課題を解決するための手段】
【００１３】
上述した課題を解決し、目的を達成するために、本発明のズームレンズは、
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、第１レンズ群と、第２レンズ群と、第３レンズ群と、第４レンズ群と、第５レンズ群との空気間隔は互いに変化し、
第２レンズ群は複数のレンズで構成され、
物体側から順に、正レンズ、正レンズ及び接合レンズとからなる構成が、第３レンズ群に含まれており、接合レンズは、物体側から順に、負レンズと正レンズとからなり、
第５レンズ群は、１枚の負レンズと１枚の正レンズとからなり、
以下の条件式（１’）、（２）を満足することを特徴とする。
−８．３≦ｆ１Ｇ／ｆ２Ｇ≦−６．５      （１’）
２２≦ν２２ｎ−ν２１ｎ≦６０      （２）
ただし、
ｆ１Ｇは、第１レンズ群の焦点距離、
ｆ２Ｇは、第２レンズ群の焦点距離、
ν２１ｎは、第２レンズ群の最も物体側に配置された負の焦点距離を持つレンズのｄ線でのアッベ数、
ν２２ｎは、第２レンズ群の物体側から空気間隔を挟んで２番目に配置された負の焦点距離を持つレンズのｄ線でのアッベ数、
である。
また、本発明の別のズームレンズは、
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、第１レンズ群と、第２レンズ群と、第３レンズ群と、第４レンズ群と、第５レンズ群との空気間隔は互いに変化し、
第２レンズ群は複数のレンズで構成され、
物体側から順に、正レンズ、正レンズ及び接合レンズとからなる構成が、第３レンズ群に含まれており、接合レンズは、物体側から順に、負レンズと正レンズとからなり、
第５レンズ群は、１枚の負レンズと１枚の正レンズとからなり、
以下の条件式（１）、（２）、（８）を満足することを特徴とする。
−８．５≦ｆ１Ｇ／ｆ２Ｇ≦−６．５      （１）
２２≦ν２２ｎ−ν２１ｎ≦６０      （２）
０．８５≦ｆ１Ｇ／ｆＴ≦１．６５      （８）
ただし、
ｆ１Ｇは、第１レンズ群の焦点距離、
ｆ２Ｇは、第２レンズ群の焦点距離、
ν２１ｎは、第２レンズ群の最も物体側に配置された負の焦点距離を持つレンズのｄ線でのアッベ数、
ν２２ｎは、第２レンズ群の物体側から空気間隔を挟んで２番目に配置された負の焦点距離を持つレンズのｄ線でのアッベ数、
ｆＴは、望遠端でのズームレンズ全系の焦点距離、
である。
また、本発明の別のズームレンズは、
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、第１レンズ群と、第２レンズ群と、第３レンズ群と、第４レンズ群と、第５レンズ群との空気間隔は互いに変化し、
第２レンズ群は複数のレンズで構成され、
物体側から順に、正レンズ、正レンズ及び接合レンズとからなる構成が、第３レンズ群に含まれており、接合レンズは、物体側から順に、負レンズと正レンズとからなり、
第５レンズ群は、１枚の負レンズと１枚の正レンズとからなり、
以下の条件式（１）、（２）、（９）を満足することを特徴とする。
−８．５≦ｆ１Ｇ／ｆ２Ｇ≦−６．５      （１）
２２≦ν２２ｎ−ν２１ｎ≦６０      （２）
０．２≦ｆＧ２Ｆ／ｆＧ２≦１．３５      （９）
ただし、
ｆ１Ｇは、第１レンズ群の焦点距離、
ｆ２Ｇは、第２レンズ群の焦点距離、
ν２１ｎは、第２レンズ群の最も物体側に配置された負の焦点距離を持つレンズのｄ線でのアッベ数、
ν２２ｎは、第２レンズ群の物体側から空気間隔を挟んで２番目に配置された負の焦点距離を持つレンズのｄ線でのアッベ数、
ｆＧ２Ｆは、第２レンズ群の最も物体側に配置されたレンズの焦点距離、
である。
また、本発明の別のズームレンズは、
物体側から順に、
正の焦点距離を持つ第１レンズ群と、
負の焦点距離を持つ第２レンズ群と、
正の焦点距離を持つ第３レンズ群と、
負の焦点距離を持つ第４レンズ群と、
正の焦点距離を持つ第５レンズ群と、からなり、
広角端から望遠端への変倍の際に、第１レンズ群と、第２レンズ群と、第３レンズ群と、第４レンズ群と、第５レンズ群との空気間隔は互いに変化し、
第２レンズ群は複数のレンズで構成され、
物体側から順に、正レンズ、正レンズ及び接合レンズとからなる構成が、第３レンズ群に含まれており、接合レンズは、物体側から順に、負レンズと正レンズとからなり、
第５レンズ群は、１枚の負レンズと１枚の正レンズとからなり、
以下の条件式（１）、（２）、（１８）を満足することを特徴とする。
−８．５≦ｆ１Ｇ／ｆ２Ｇ≦−６．５      （１）
２２≦ν２２ｎ−ν２１ｎ≦６０      （２）
０．２≦ｆ３Ｇ／ｆＴ≦０．３３      （１８）
ただし、
ｆ１Ｇは、第１レンズ群の焦点距離、
ｆ２Ｇは、第２レンズ群の焦点距離、
ν２１ｎは、第２レンズ群の最も物体側に配置された負の焦点距離を持つレンズのｄ線でのアッベ数、
ν２２ｎは、第２レンズ群の物体側から空気間隔を挟んで２番目に配置された負の焦点距離を持つレンズのｄ線でのアッベ数、
ｆ３Ｇは、第３レンズ群の焦点距離、
ｆＴは、望遠端でのズームレンズ全系の焦点距離、
である。
【００１４】
また、本発明の撮像装置は、
上述のズームレンズと、
ズームレンズにより形成した像を電気信号に変換する撮像素子と、を有することを特徴とする。
【発明の効果】
【００１５】
本発明によれば、小型でありながら、広い画角と大きな変倍比を有し、収差が良好に補正されたズームレンズ及びそれを備えた撮像装置を提供するができる。また、Ｆナンバーが小さく、望遠端での撮影時に手ブレの発生が少ないズームレンズ及びそれを備えた撮像装置を提供することができる。
【図面の簡単な説明】
【００１６】
【図１】実施例１に係るズームレンズの無限遠物体合焦時のレンズ断面図である。
【図２】実施例２に係るズームレンズの無限遠物体合焦時のレンズ断面図である。
【図３】実施例３に係るズームレンズの無限遠物体合焦時のレンズ断面図である。
【図４】実施例４に係るズームレンズの無限遠物体合焦時のレンズ断面図である。
【図５】実施例５に係るズームレンズの無限遠物体合焦時のレンズ断面図である。
【図６】実施例６に係るズームレンズの無限遠物体合焦時のレンズ断面図である。
【図７】実施例７に係るズームレンズの無限遠物体合焦時のレンズ断面図である。
【図８】実施例８に係るズームレンズの無限遠物体合焦時のレンズ断面図である。
【図９】実施例９に係るズームレンズの無限遠物体合焦時のレンズ断面図である。
【図１０】実施例１０に係るズームレンズの無限遠物体合焦時のレンズ断面図である。
【図１１】実施例１１に係るズームレンズの無限遠物体合焦時のレンズ断面図である。
【図１２】実施例１２に係るズームレンズの無限遠物体合焦時のレンズ断面図である。
【図１３】実施例１３に係るズームレンズの無限遠物体合焦時のレンズ断面図である。
【図１４】実施例１４に係るズームレンズの無限遠物体合焦時のレンズ断面図である。
【図１５】実施例１５に係るズームレンズの無限遠物体合焦時のレンズ断面図である。
【図１６】実施例１６に係るズームレンズの無限遠物体合焦時のレンズ断面図である。
【図１７】実施例１７に係るズームレンズの無限遠物体合焦時のレンズ断面図である。
【図１８】実施例１８に係るズームレンズの無限遠物体合焦時のレンズ断面図である。
【図１９】実施例１９に係るズームレンズの無限遠物体合焦時のレンズ断面図である。
【図２０】実施例１に係るズームレンズの無限遠物体合焦時の収差図である。
【図２１】実施例２に係るズームレンズの無限遠物体合焦時の収差図である。
【図２２】実施例３に係るズームレンズの無限遠物体合焦時の収差図である。
【図２３】実施例４に係るズームレンズの無限遠物体合焦時の収差図である。
【図２４】実施例５に係るズームレンズの無限遠物体合焦時の収差図である。
【図２５】実施例６に係るズームレンズの無限遠物体合焦時の収差図である。
【図２６】実施例７に係るズームレンズの無限遠物体合焦時の収差図である。
【図２７】実施例８に係るズームレンズの無限遠物体合焦時の収差図である。
【図２８】実施例９に係るズームレンズの無限遠物体合焦時の収差図である。
【図２９】実施例１０に係るズームレンズの無限遠物体合焦時の収差図である。
【図３０】実施例１１に係るズームレンズの無限遠物体合焦時の収差図である。
【図３１】実施例１２に係るズームレンズの無限遠物体合焦時の収差図である。
【図３２】実施例１３に係るズームレンズの無限遠物体合焦時の収差図である。
【図３３】実施例１４に係るズームレンズの無限遠物体合焦時の収差図である。
【図３４】実施例１５に係るズームレンズの無限遠物体合焦時の収差図である。
【図３５】実施例１６に係るズームレンズの無限遠物体合焦時の収差図である。
【図３６】実施例１７に係るズームレンズの無限遠物体合焦時の収差図である。
【図３７】実施例１８に係るズームレンズの無限遠物体合焦時の収差図である。
【図３８】実施例１９に係るズームレンズの無限遠物体合焦時の収差図である。
【図３９】撮像装置の断面図である。
【図４０】撮像装置の前方斜視図である。
【図４１】撮像装置の後方斜視図である。
【図４２】撮像装置の主要部の内部回路の構成ブロック図である。
【発明を実施するための形態】
【００１７】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１８】
本実施形態のズームレンズは、物体側から順に、正の焦点距離を持つ第１レンズ群と、負の焦点距離を持つ第２レンズ群と、正の焦点距離を持つ第３レンズ群と、負の焦点距離を持つ第４レンズ群と、正の焦点距離を持つ第５レンズ群と、を有し、第２レンズ群は複数のレンズで構成され、以下の条件式（１）、（２）を満足することを特徴とする。
−８．５≦ｆ１Ｇ／ｆ２Ｇ≦−６．５      （１）
２２≦ν２２ｎ−ν２１ｎ≦６０      （２）
ただし、
ｆ１Ｇは、第１レンズ群の焦点距離、
ｆ２Ｇは、第２レンズ群の焦点距離、
ν２１ｎは、第２レンズ群の最も物体側に配置された負の焦点距離を持つレンズのｄ線でのアッベ数、
ν２２ｎは、第２レンズ群の物体側から空気間隔を挟んで２番目に配置された負の焦点距離を持つレンズのｄ線でのアッベ数、
である。
【００１９】
本実施形態のズームレンズでは、屈折力の並びが、物体側から順に、正の屈折力、負の屈折力、正の屈折力、負の屈折力及び正の屈折力となる。その結果、屈折力の並びが、第３レンズ群を中心として、物体側と像側とで対称になる。
【００２０】
このような構成を備えることで、広角端における広い画角の確保、大きな変倍比の確保、及び望遠端における小さなＦナンバーの確保を実現することができる。例えば、広角端において８０度以上の画角を確保でき、５倍以上の変倍比を確保することができる。
【００２１】
また、このような構成を備えることで、光学系の全長の短縮化と小径化が実現でき、更に、ズーム域の全域で、諸収差、特に広角端での軸外収差や望遠端での軸上収差を良好に補正することができる。
【００２２】
また、光学系の中では、第１レンズ群の径が最大となる。上述のように、第４レンズ群が負の焦点距離を有し、第５レンズ群が正の焦点距離を有しているので、第４レンズ群と第５レンズ群とで拡大光学系を構成することができる。これにより、第１レンズ群の径を小さくすることができる。その結果、光学系全体の小型化が達成できる。
【００２３】
そして、本実施形態のズームレンズでは、第２レンズ群は複数のレンズで構成され、条件式（１）、（２）を満足する。
【００２４】
条件式（１）は、第１レンズ群の焦点距離と第２レンズ群の焦点距離との比を表している。条件式（１）を満足することで、小型で高性能なズームレンズを得ることができる。
【００２５】
条件式（１）の上限値を上回らないようにすることで、第１レンズ群の焦点距離を小さくすることができる。その結果、光学系の全長短縮を行うことができる。
【００２６】
条件式（１）の下限値を下回らないようにすることで、第２レンズ群での諸収差の発生を低減できる。その結果、結像性能の良いズームレンズを得ることができる。
【００２７】
条件式（２）は前記第２レンズ群内に配置されたレンズのアッベ数の関係を表している。
【００２８】
例えば、第２レンズ群が、物体側から順に、レンズＬＡ、レンズＬＢ及びレンズＬＣを有するとする。３つのレンズが、互いに離れて配置されている場合は、レンズＬＢが、物体側から空気間隔を挟んで２番目に配置されたレンズに該当する。また、レンズＬＡとレンズＬＢが接合されている場合は、レンズＬＣが、物体側から空気間隔を挟んで２番目に配置されたレンズに該当する。
【００２９】
第２レンズ群は、変倍を担う主なレンズ群の一つである。光学系の全長短縮を行いつつ高変倍を達成するためには、第２レンズ群の焦点距離を小さくして、変倍効率を高める必要がある。しかしながら、第２レンズ群の焦点距離を小さくすると、主に広角端においてコマ収差、像面湾曲及び倍率色収差を良好に補正することが難しくなる。
【００３０】
そこで、本実施形態のズームレンズでは、第２レンズ群の最も物体側に配置されたレンズに、屈折率の高い（一般に屈折率が高い硝材はアッベ数が小さい）硝材を用いている。このようにすることで、第２レンズ群の焦点距離を小さくしつつ、コマ収差や像面湾曲を良好に補正している。
【００３１】
更に、第２レンズ群の物体側から空気間隔を挟んで２番目に配置されたレンズに、アッベ数の大きい硝材を用いている。このようにすることで、倍率色収差の補正を効果的に行っている。
【００３２】
条件式（２）を満足することで、小型で高変倍でありながら、高性能なズームレンズを得ることができる。「高変倍」とは、「変倍比が大きい」という意味である。
【００３３】
条件式（２）の上限値を上回らないようにすることで、第２レンズ群の焦点距離を小さくすることができる。これにより、光学系の全長を小さくしつつ、コマ収差や像面湾曲を良好に補正することができる。
【００３４】
条件式（２）の下限値を下回らないようにすることで、広角端での倍率色収差を効果的に補正することができる。その結果、高性能なズームレンズを得ることができる。
【００３５】
本実施形態のズームレンズでは、広角端から望遠端への変倍の際に、第１レンズ群と第２レンズ群の空気間隔は広がり、第２レンズ群と第３レンズ群の空気間隔は狭まり、第３レンズ群と第４レンズ群の空気間隔は広がり、第４レンズ群と第５レンズ群の空気間隔は広がることが好ましい。
【００３６】
このようにすることで、各レンズ群で減倍することなく変倍することができるため、高い変倍効率が得られる。
【００３７】
本実施形態のズームレンズは、以下の条件式（３）を満足することが好ましい。
５０≦νｄＧ２Ｎ      （３）
ただし、
νｄＧ２Ｎは、第２レンズ群内に配置された負レンズのｄ線でのアッベ数のうち、最大となるアッベ数、
である。
【００３８】
条件式（３）は、第２レンズ群内に配置された負レンズのｄ線でのアッベ数のうち、最大となるアッベ数の条件を表している。条件式（３）を満足することで、広角端での倍率色収差の補正や望遠端での軸上色収差の補正を良好に行うことができる。
【００３９】
本実施形態のズームレンズは、以下の条件式（４）を満足することが好ましい。
１．８５≦ｎｄＧ２Ｐ      （４）
ただし、
ｎｄＧ２Ｐは、第２レンズ群内に配置された正レンズのｄ線での屈折率のうち、最大となる屈折率、
である。
【００４０】
条件式（４）は、第２レンズ群内に配置された正レンズのｄ線での屈折率のうち、最大となる屈折率の条件を表している。条件式（４）を満足することで、ズーム域の全域での像面湾曲変動と球面収差の変動を低減することができる。その結果、良好な結像性能を持つズームレンズを得ることができる。
【００４１】
本実施形態のズームレンズは、以下の条件式（５）、（６）を満足することが好ましい。
５５≦νｄＧ２Ｌ２Ｎ      （５）
ｎｄＧ２Ｌ２Ｎ≦１．６５      （６）
ただし、
νｄＧ２Ｌ２Ｎは、第２レンズ群の物体側から空気間隔を挟んで２番目に配置された負の焦点距離を持つレンズのｄ線でのアッベ数、
ｎｄＧ２Ｌ２Ｎは、第２レンズ群の物体側から空気間隔を挟んで２番目に配置された負の焦点距離を持つレンズのｄ線での屈折率、
である。
【００４２】
条件式（５）、（６）は、第２レンズ群の物体側から空気間隔を挟んで２番目に配置された負の焦点距離を持つレンズ（以下、「第２負レンズ」という）のｄ線でのアッベ数の条件を表している。
【００４３】
第２負レンズでは、色収差を補正するために、アッベ数の大きい硝材を使用する必要がある。そして、色収差をさらに良好に補正するには、第２負レンズに使用する硝材に、屈折率がより低い硝材を使用することが良い。しかしながら、第２負レンズに使用する硝材の屈折率を低くしすぎると、第２レンズ群の径が大きくなる。その結果、光学系の小型化を達成することが難しくなる。
【００４４】
第２レンズ群は負の焦点距離を持つ。そこで第２レンズ群内の負レンズの硝材に、アッベ数の大きな硝材を使用する。このようにすることで、色収差を良好に補正することができる。
【００４５】
条件式（５）、（６）を満足することで、広角端での倍率色収差が良好に補正されたズームレンズを得ることができる。
【００４６】
例えば、第２レンズ群が、物体側から順に、負レンズＬａ、正レンズＬｂ、負レンズＬｃ、及び負レンズＬｄを有するとする。４つのレンズが、互いに離れて配置されている場合は、負レンズＬｃが第２負レンズに該当する。また、負レンズＬａ、正レンズＬｂ、負レンズＬｃが接合されている場合は、負レンズＬｄが第２負レンズに該当する。
【００４７】
本実施形態のズームレンズは、以下の条件式（７）を満足することが好ましい。
０．６≦（β２Ｗ／β３Ｗ）／（β２Ｔ／β３Ｔ）≦１．７      （７）
ただし、
β２Ｗは、広角端での第２レンズ群の横倍率、
β３Ｗは、広角端での第３レンズ群の横倍率、
β２Ｔは、望遠端での第２レンズ群の横倍率、
β３Ｔは、望遠端での第３レンズ群の横倍率、
である。
【００４８】
条件式（７）は、広角端と望遠端での第２レンズ群の横倍率と第３レンズ群の横倍率との関係を表している。条件式（７）を満足することで、小型のズームレンズを得ることができる。
【００４９】
条件式（７）の上限値を上回らないようにすることで、第３レンズ群の変倍作用の負担割合を減らすことができる。これにより、変倍時の第３レンズ群の駆動量を少なくすることができる。そのため、光学系の全長が短いズームレンズを得ることができる。
【００５０】
第３レンズ群以外では、第２レンズ群が主に変倍作用を負担している。条件式（７）の下限値を下回らないようにすることで、第２レンズ群の変倍作用の負担割合を減らすことができる。これにより、広角端での第２レンズ群を通過する軸外光線の高さを、低くすることができる。その結果、第２レンズ群の径を小さくすることができる。更に、第２レンズ群より物体側に位置する第１レンズ群の径も小さくなるので、小型のズームレンズを得ることができる。
【００５１】
本実施形態のズームレンズは、以下の条件式（８）を満足することが好ましい。
０．８５≦ｆ１Ｇ／ｆＴ≦１．６５      （８）
ただし、
ｆ１Ｇは、第１レンズ群の焦点距離、
ｆＴは、望遠端でのズームレンズ全系の焦点距離、
である。
【００５２】
条件式（８）は、第１レンズ群の焦点距離と、望遠端でのズームレンズ全系の焦点距離との比を表している。条件式（８）を満足することで、光学系の全長が短縮できると共に、望遠端での倍率色収差が低減されたズームレンズを得ることができる。
【００５３】
条件式（８）の上限値を上回らないようにすることで、第１レンズ群の焦点距離を小さくすることができる。その結果、光学系の全長短縮を行うことができる。
【００５４】
条件式（８）の下限値を下回らないようにすることで、第１レンズ群の焦点距離が大きくなる。この場合、第１レンズ群で発生する倍率色収差、特に望遠端での倍率色収差を低減することができる。
【００５５】
本実施形態のズームレンズは、以下の条件式（９）を満足することが好ましい。
０．２≦ｆＧ２Ｆ／ｆＧ２≦１．３５      （９）
ただし、
ｆＧ２Ｆは、第２レンズ群の最も物体側に配置されたレンズの焦点距離、
ｆＧ２は、第２レンズ群の焦点距離、
である。
【００５６】
条件式（９）は、第２レンズ群の焦点距離と第２レンズ郡の最も物体側に位置するレンズの焦点距離との条件を表している。条件式（９）を満足することで、高性能な高変倍ズームレンズを得ることができる。
【００５７】
条件式（９）の上限値を上回らないようにすることで、第２レンズ群の前側主点を物体方向へ位置させることができる。これにより、第２レンズ群の変倍効率を上げることができるので、高変倍のズームレンズを得ることができる。
【００５８】
条件式（９）の下限値を下回らないようにすることで、第２レンズ群の最も物体側に位置するレンズで発生する収差を、低減させることができる。その結果、広角端でのコマ収差や像面湾曲が良好に補正されたズームレンズを得ることができる。
【００５９】
本実施形態のズームレンズは、以下の条件式（１０）を満足することが好ましい。
０．２≦（ＲＧ２１＋ＲＧ２２）／（ＲＧ２１−ＲＧ２２）≦１．８      （１０）
ただし、
ＲＧ２１は、第２レンズ群の最も物体側に配置されたレンズの物体側面の曲率半径、
ＲＧ２２は、第２レンズ群の最も像側に配置されたレンズの像側面の曲率半径、
である。
【００６０】
条件式（１０）は、第２レンズ群全体の形状の条件式である。条件式（１０）を満足することで、広角端での軸外収差が良好に補正された高変倍ズームを得ることができる。
【００６１】
条件式（１０）の上限値を上回らないようにすることで、広角端での軸外収差を良好に補正することができる。
【００６２】
条件式（１０）の下限値を下回らないようにすることで、広角端で第１レンズ群と第２レンズ群とを、より近接して配置できる。そのため、第２レンズ群の変倍比を大きく取ることが可能となる。その結果、高変倍ズームを達成しやすくなる。
【００６３】
本実施形態のズームレンズは、以下の条件式（１１）を満足することが好ましい。
−０．３≦（ＲＧ２Ｌ１Ｒ＋ＲＧ２Ｌ２Ｆ）／（ＲＧ２Ｌ１Ｒ−ＲＧ２Ｌ２Ｆ）≦１      （１１）
ただし、
ＲＧ２Ｌ１Ｒは、第２レンズ群の最も物体側に配置されたレンズの像側面の曲率半径、
ＲＧ２Ｌ２Ｆは、第２レンズ群の物体側から空気間隔を挟んで２番目に配置されたレンズの物体側面の曲率半径、
である。
【００６４】
条件式（１１）は、第２レンズ群内の最も物体側に形成された空気レンズの形状の条件を表している。条件式（１１）を満足することで、ズーム域の全域での諸収差が良好に補正されたズームレンズを得ることができる。
【００６５】
条件式（１１）の上限値を上回らないようにすることで、広角端での倍率色補正を良好に補正することができる。
【００６６】
条件式（１１）の下限値を下回らないようにすることで、広角端での像面湾曲や、望遠端でのサジタル方向で発生するコマ収差を良好に補正することが可能となる。
【００６７】
本実施形態のズームレンズでは、第２レンズ群に接合レンズが配置され、以下の条件式（１２）を満足することが好ましい。
０．３≦ｎｄＧ２ＣＰ−ｎｄＧ２ＣＮ      （１２）
ただし、
ｎｄＧ２ＣＰは、第２レンズ群内の接合されている正レンズのｄ線での屈折率、
ｎｄＧ２ＣＮは、第２レンズ群内の接合されている負レンズのｄ線での屈折率、であって、
第２レンズ群が接合レンズを複数含む場合は、
ｎｄＧ２ＣＰは、接合されている正レンズのｄ線での屈折率のうち、最大となる屈折率、
ｎｄＧ２ＣＮは、接合されている負レンズのｄ線での屈折率のうち、最小となる屈折率、
である。
【００６８】
条件式（１２）は、第２レンズ群内に配置された接合レンズの硝材の屈折率の差を表している。接合レンズの硝材に屈折率差をつけることにより、コマ収差の補正を良好に行うことができる。
【００６９】
本実施形態のズームレンズは、以下の条件式（１３）を満足することが好ましい。
２５≦νｄＧ２ＣＮ−νｄＧ２ＣＰ      （１３）
ただし、
νｄＧ２ＣＰは、第２レンズ群内の接合されている正レンズのｄ線でのアッベ数、
νｄＧ２ＣＮは、第２レンズ群内の接合されている負レンズのｄ線でのアッベ数、であって、第２レンズ群が接合レンズを複数含む場合は、
νｄＧ２ＣＰは、接合されている正レンズのｄ線でのアッベ数のうち、最小となるアッベ数、
νｄＧ２ＣＮは、接合されている負レンズのｄ線でのアッベ数のうち、最大となるアッベ数、
である。
【００７０】
条件式（１３）は、第２レンズ群内に配置された接合レンズの硝材のアッベ数の差の条件を表している。
【００７１】
第２レンズ群は負の焦点距離を持つ。そこで、第２レンズ群内に、負レンズと正レンズとを有する接合レンズを配置する。そして、負レンズの硝材にはアッベ数の大きい硝材を使用し、正レンズの硝材にはアッベ数の小さい硝材を使用する。このようにすることで、色収差の補正を良好に行うことができる。
【００７２】
条件式（１３）を満足することで、広角端での倍率色収差と望遠端での軸上色収差とが良好に補正されたズームレンズを得ることができる。
【００７３】
本実施形態のズームレンズは、以下の条件式（１４）を満足することが好ましい。
−５≦（ＲＧ２Ｒ１＋ＲＧ２Ｒ２）／（ＲＧ２Ｒ１−ＲＧ２Ｒ２）≦−２      （１４）
ただし、
ＲＧ２Ｒ１は、第２レンズ群の最も像側に配置されたレンズの物体側面の曲率半径、
ＲＧ２Ｒ２は、第２レンズ群の最も像側に配置されたレンズの像側面の曲率半径、
である。
【００７４】
条件式（１４）は、第２レンズ群内の最も像側に配置されたレンズの形状の条件を表している。条件式（１４）を満足することで、ズーム域の全域での像面湾曲と望遠端での軸上色収差を良好に補正することができる。
【００７５】
本実施形態のズームレンズは、以下の条件式（１５）を満足することが好ましい。
１．５≦（ＲＧ２ｒ２ＲＲ＋ＲＧ２ｒ１ＲＦ）／（ＲＧ２ｒ２ＲＲ−ＲＧ２ｒ１ＲＦ)≦４．５      （１５）
ただし、
ＲＧ２ｒ２ＲＲは、第２レンズ群の像側から空気間隔を挟んで２番目に配置されたレンズの像側面の曲率半径、
ＲＧ２ｒ１ＲＦは、第２レンズ群の最も像側に配置されたレンズの物体側面の曲率半径、
である。
【００７６】
条件式（１５）は、第２レンズ群内の最も像側に形成された空気レンズの形状の条件を表している。この条件式（１５）を満足することで、ズーム域の全域での像面湾曲と望遠端での軸上色収差とを良好に補正することができる。
【００７７】
本実施形態のズームレンズは、以下の条件式（１６）を満足することが好ましい。
−０．５≦（ＲＧ２ＰＦ＋ＲＧ２ＰＲ）／（ＲＧ２ＰＦ−ＲＧ２ＰＲ）≦０．５      （１６）
ただし、
ＲＧ２ＰＦは、第２レンズ群の最も像側に配置された正レンズの物体側面の曲率半径、
ＲＧ２ＰＲは、第２レンズ群の最も像側に配置された正レンズの像側面の曲率半径、
である。
【００７８】
条件式（１６）は、第２レンズ群内の最も像側に配置された正レンズの形状の条件を表している。条件式（１６）を満足することで、収差が良好に補正されたズームレンズを得ることができる。
【００７９】
条件式（１６）の上限値を上回らないようにすることで、広角端での倍率色収差を良好に補正することができる。
【００８０】
条件式（１６）の下限値を下回らないようにすることで、ズーム域の全域での像面湾曲を良好に補正することができる。
【００８１】
本実施形態のズームレンズは、以下の条件式（１７）を満足することが好ましい。
−２．５≦ｆＴ／ＥｘｐＴ≦０．３      （１７）
ただし、
ｆＴは、望遠端でのズームレンズ全系の焦点距離、
ＥｘｐＴは、望遠端での近軸結像面基準の射出瞳位置、
である。
【００８２】
条件式（１７）は、望遠端でのズームレンズ全系の焦点距離と射出瞳位置との比の条件式である。条件式（１７）を満足することで、望遠端での歪曲収差の軽減と光学系の小型化とを達成できる。
【００８３】
条件式（１７）の上限値を上回らないようにすることで、最も像側に位置するレンズ群でのレンズの径の大型化を軽減し、光学系全体を小型化させることができる。
【００８４】
条件式（１７）の下限値を下回らないようにすることで、望遠端での正の歪曲収差を良好に補正できる。
【００８５】
本実施形態のズームレンズは、以下の条件式（１８）を満足することが好ましい。
０．２≦ｆ３Ｇ／ｆＴ≦０．３３      （１８）
ただし、
ｆ３Ｇは、第３レンズ群の焦点距離、
ｆＴは、望遠端でのズームレンズ全系の焦点距離、
である。
【００８６】
条件式（１８）は、第３レンズ群の焦点距離と望遠端でのズームレンズ全系の焦点距離との比を表している。条件式（１８）を満足することで、小型で高性能なズームレンズを得ることができる。
【００８７】
条件式（１８）の上限値を上回らないようにすることで、変倍時の第３レンズ群の移動量を減らすことができる。そのため、光学系の全長が短いズームレンズを得ることができる。
【００８８】
条件式（１８）の下限値を下回らないようにすることで、第３レンズ群で発生する収差、特に球面収差の補正がしやすくなる。そのため、高性能なズームレンズを得ることができる。
【００８９】
本実施形態のズームレンズは、光軸と垂直方向に移動する移動レンズを有し、以下の条件式（１９）を満足することが好ましい。
１．２≦ｆＩＳ／ｆＩＳＧ≦３      （１９）
ただし、
ｆＩＳは、移動レンズの焦点距離、
ｆＩＳＧは、移動レンズを有するレンズ群の焦点距離、
である。
【００９０】
レンズ群の一部のレンズを移動レンズとし、この移動レンズを光軸と垂直方向に移動させることで、手ブレ防止の機能をズームレンズに持たせることが可能となる。
【００９１】
条件式（１９）は、移動レンズの焦点距離と移動レンズを有するレンズ群の焦点距離との比を表している。条件式（１９）を満足することで、手ブレ防止時の移動レンズの移動量の低減と、良好な結像性能の維持とができる。
【００９２】
移動レンズは、単レンズであっても接合レンズであっても良い。また、移動レンズの枚数は１枚に限られない。
【００９３】
条件式（１９）の上限値を上回らないようにすることで、手ブレ防止時に発生する偏心収差の影響を少なくすることができる。その結果、手ブレ防止時でも、高い結像性能を保つことができる。
【００９４】
条件式（１９）の下限値を下回らないようにすることで、手ブレ防止時の移動レンズの移動量を低減できる。そのため、手ブレ防止ユニット全体を小型化することができる。このように、条件式（１９）の下限値を下回らないことは、光学系全体の小型化につながる。
【００９５】
本実施形態のズームレンズでは、第３レンズ群に配置されているレンズを光軸と垂直方向に移動させることが好ましい。
【００９６】
第３レンズ群は、光学系の中で最もレンズ径の増大が抑えられるレンズ群である。このため、レンズの重量の増大も抑えることができる。このようなことから、第３レンズ群内の一部のレンズ、又は第３レンズ群内のすべてのレンズを、光軸と垂直方向に移動させている。このように、光軸と垂直方向に移動させるレンズを有するレンズ群を第３レンズ群にすることは、手ブレ防止を高速に機能させる点で有利である。
【００９７】
また、レンズを光軸と垂直方向に移動させると、像面での軸上主光線の位置が変化する。第３レンズ群では、この位置の変化量を大きく取れる。そのため、所定の手ブレ防止効果を得るためにレンズを垂直方向へ移動させた場合に、第３レンズ群ではレンズの移動量を小さくすることが可能となる。
【００９８】
このようなことから、第３レンズ群内の一部のレンズ、又は第３レンズ群内のすべてのレンズを、光軸と垂直方向に移動させている。その結果、手ブレを防止するためのユニット径の増大を抑えることができる。このように、光軸と垂直方向に移動させるレンズを有するレンズ群を第３レンズ群にすることは、光学系全体の小型化に有利となる。
【００９９】
光軸と垂直方向に移動させるレンズは、単レンズであっても接合レンズであっても良い。また、移動させるレンズの枚数は１枚に限られない。
【０１００】
本実施形態のズームレンズでは、変倍時に、各レンズ群の間隔が変化することが好ましい。
【０１０１】
本実施形態のズームレンズでは、変倍時に、各レンズ群が移動することが好ましい。
【０１０２】
第１レンズ群は変倍時に物体側に移動し、広角端より望遠端で物体側に位置することが好ましい。このようにすることで、第１レンズ群における変倍作用と第２レンズ群における変倍作用とを高めることができる。その結果、光学系の高変倍化が容易になる。
【０１０３】
また、第２レンズ群と第２レンズ群よりも像側に位置するレンズ群において、ズーム時の移動スペースを確保しやすくなる。そのため、広角端付近での光学系の全長の短縮が可能となる。
【０１０４】
本実施形態のズームレンズでは、第１レンズ群は、少なくとも２枚の正レンズを含むことが好ましい。
【０１０５】
第１レンズ群で発生した色収差は、第１レンズ群よりも像側に位置するレンズ群で拡大される。この場合、望遠端での光学性能を十分に確保することが難しくなる。そのため、第１レンズ群で色収差の発生を極力抑える必要がある。
【０１０６】
そこで、第１レンズ群に、少なくとも２枚の正レンズを配置する。このようにすることで、色収差の発生を抑えることができる。その結果、高変倍ズームを達成できる。また、第１レンズ群の焦点距離を適切に保ちつつ、望遠端での結像性能を良好にすることができる。
【０１０７】
本実施形態のズームレンズでは、第１レンズ群は少なくとも１枚の接合レンズを含むことがより好ましい。
【０１０８】
これにより、色収差を更に良好に補正することができる。
【０１０９】
本実施形態のズームレンズでは、物体側から順に、負レンズ、負レンズ及び正レンズからなる構成が、第２レンズ群に含まれていることが好ましい。
【０１１０】
光学系の径は、主に第１レンズ群の径によって決まる。よって、第１レンズ群の径を小径化することが好ましい。
【０１１１】
第２レンズ群と第３レンズ群は、変倍を担う主なレンズ群である。第１レンズ群の径を小径化すると共に、光学系の全長を短くするには、第２レンズ群の焦点距離と第３レンズ群の焦点距離を、共に小さくする必要がある。第２レンズ群の焦点距離を少ないレンズ枚数で小さくしようとすると、諸収差、特に像面湾曲や歪曲収差が大きく発生すると共に、変倍時の倍率色収差の変動が大きくなる。そのため、高変倍ズームにおいて、ズーム域の全域で良好な結像性能を確保することができない。
【０１１２】
そこで、第２レンズ群では、物体側から順に、負レンズ、負レンズ及び正レンズを配置する。このようにすることで、それぞれのレンズで発生する収差を少なくしつつ、第２レンズ群の焦点距離を小さくすることができる。
【０１１３】
本実施形態のズームレンズでは、第２レンズ群において、物体側から２番目に配置される負レンズと３番目に配置される正レンズは接合レンズであることがより好ましい。
【０１１４】
負レンズと正レンズを接合レンズにすることで、広角側の倍率色収差を良好に補正することができる。
【０１１５】
本実施形態のズームレンズでは、第２レンズ群は少なくとも１枚の非球面レンズを有することが好ましい。
【０１１６】
このようにすることで、収差を良好に補正することができる。
【０１１７】
本実施形態のズームレンズでは、第２レンズ群の最も物体側に位置するレンズが非球面を有することがより好ましい。
【０１１８】
最も物体側のレンズに非球面を使用することで、広角側での軸外収差、特にコマ収差、像面湾曲及び歪曲収差を効果的に補正することが可能である。
【０１１９】
本実施形態のズームレンズでは、物体側から順に、正レンズ、正レンズ及び接合レンズからなる構成が、第３レンズ群に含まれおり、接合レンズは、物体側から順に、負レンズと正レンズとで構成されていることが好ましい。
【０１２０】
第３レンズ群は、変倍を担う主なレンズ群である。そのため、第３レンズ群では、焦点距離を小さくしつつ、収差を極小にする必要がある。そこで、第３レンズ群は、物体側から順に、正レンズ、正レンズ及び接合レンズの構成を備えると共に、接合レンズを、物体側から順に、負レンズと正レンズとで構成する。このようにすることで、球面収差、コマ収差及び軸上色収差を良好に補正できる。その結果、ズーム域の全域で高い結像性能を確保することが容易になる。
【０１２１】
本実施形態のズームレンズでは、絞り（明るさ絞り）が第３レンズ群の前又は後（物体側又は像側）に位置していることがより好ましい。
【０１２２】
絞りが第３レンズ群の前又は後に位置することにより、第３レンズ群で発生する収差を低減することができると共に、第３レンズ群の焦点距離を小さくすることができる。このため、高変倍ズームが達成し易く、また、ズーム域の全域での高い結像性能の確保がし易くなる。
【０１２３】
本実施形態のズームレンズでは、第３レンズ群は、少なくとも１枚の非球面レンズを有することがより好ましい。
【０１２４】
これにより、より球面収差を補正できるため、ズーム域の全域での結像性能を高めることが可能となる。
【０１２５】
本実施形態のズームレンズでは、手ブレ防止に利用するレンズは、第３レンズ群の最も物体側に位置するレンズか、最も像側に位置するレンズが好ましい。
【０１２６】
レンズ群の端に位置するレンズを手ブレ防止に使用することで、手ブレ防止ユニットの簡素化が可能になる。
【０１２７】
本実施形態のズームレンズでは、手ブレ防止に利用するレンズは、接合レンズを少なくとも１枚、若しくは正の焦点距離を持つレンズと負の焦点距離を持つレンズを、各々少なくとも１枚有することが好ましい。
【０１２８】
レンズを移動させることで、色収差が発生する。そこで、このようにすることで、レンズを移動させても、色収差の発生の影響による画質劣化を防ぐことができる。
【０１２９】
本実施形態のズームレンズでは、レンズ群全体を手ブレ防止レンズ群として機能させることが好ましい。
【０１３０】
この場合、レンズ群の中で各種の収差を補正できているため、手ブレ防止をしたときの結像性能をより高いものにすることができる。
【０１３１】
本実施形態のズームレンズでは、第４レンズ群がフォーカシングレンズ群であることが好ましい。
【０１３２】
上述のように、本実施形態のズームレンズは、屈折力の並びが、物体側から順に、正の屈折力、負の屈折力、正の屈折力、負の屈折力及び正の屈折力になる構成を備えている。そのため、この構成にすることで、第４レンズ群では、他のレンズ群よりも有効径を小さくとることができる。その結果、フォーカシングレンズ群を軽量化することができる。
【０１３３】
また、第４レンズ群では、軸上収差の発生を抑えることができる。そのため、第４レンズ群をフォーカスレンズ群として使用することで、至近物体にフォーカスした時であっても高い結像性能を確保できる。
【０１３４】
さらに、第４レンズ群では、フォーカス感度を高くすることができる。そのため、無限遠物体から至近物体へのフォーカス時、また、至近物体から無限遠物体へのフォーカス時に、第４レンズ群の移動量を少なくすることができる。フォーカス感度とは、あるレンズ群が光軸上を移動した際の合焦位置の変化量である。
【０１３５】
本実施形態のズームレンズでは、第４レンズ群はウォブリング群とすることが好ましい。
【０１３６】
本実施形態のズームレンズでは、負の焦点距離を有する第４レンズ群の像側に、正の焦点距離を有する第５レンズ群が配置されている。これにより、第４レンズ群を移動させてウォブリングを行っても、第４レンズ群へ入射する軸外主光線の高さの変化を少なくすることができる。その結果、ウォブリング時の倍率変動を抑えることができる。
【０１３７】
そこで、ウォブリング時に第４レンズ群を移動させることで、常にピントが合った高品位な動画を取得することができる。
【０１３８】
本実施形態のズームレンズでは、第４レンズ群は、少なくとも１枚の負レンズと、少なくとも１枚の正レンズと、で構成することが好ましい。
【０１３９】
これにより、第４レンズ群で発生する色収差を極小にすることができる。また、各ズーム状態において、無限遠物体合焦時から至近物体合焦時までの間の軸上色収差の変動を少なくすることができる。
【０１４０】
本実施形態のズームレンズでは、第４レンズ群は、負レンズと正レンズとからなる１枚の接合レンズで構成することが好ましい。
【０１４１】
これにより、第４レンズ群を小型化できると共に、第４レンズ群で発生する色収差を極小にすることができる。また、各ズーム状態において、無限遠物体合焦時から至近物体合焦時までの間の軸上色収差の変動を少なくすることができる。
【０１４２】
本実施形態のズームレンズでは、第５レンズ群は、少なくとも１枚の負レンズと、少なくとも１枚の正レンズと、で構成することが好ましい。
【０１４３】
これにより、ズーム域の全域で、倍率色収差の発生を少なくすることができる。その結果、高性能なズームレンズを実現することができる。また、負レンズを有することで、ズーム域の全域で、像面湾曲の発生を少なくすることができる。その結果、高性能なズームレンズを実現することができる。
【０１４４】
本実施形態のズームレンズでは、第５レンズ群は、負レンズと正レンズとからなる１枚の接合レンズで構成することが好ましい。
【０１４５】
これにより、第５レンズ群を小型化できると共に、ズーム域の全域で、倍率色収差の発生をより少なくすることができる。また、第５レンズ群が負レンズを有することで、ズーム域の全域で、像面湾曲の発生を少なくすることができる。その結果、高性能なズームレンズを実現することができる。
【０１４６】
本実施形態のズームレンズでは、第５レンズ群は少なくとも１枚の非球面レンズを有することが好ましい。
【０１４７】
これにより、軸外収差の補正をより効果的に行うことができる。
【０１４８】
本実施形態の撮像装置は、上述のズームレンズと、ズームレンズにより形成した像を電気信号に変換する撮像素子と、を有することを特徴とする。
【０１４９】
本実施形態の撮像装置によれば、広い範囲の撮影や遠方の被写体の拡大撮影が、高い解像度で行える。また、暗い被写体であっても、明るくブレのない画像を取得することができる。
【０１５０】
上述のズームレンズや撮像装置は、複数の構成を同時に満足してもよい。このようにすることが、良好なズームレンズや撮像装置を得る上で好ましい。また、好ましい構成の組み合わせは任意である。また、各条件式について、より限定した条件式の数値範囲の上限値又は下限値のみを限定しても構わない。
【０１５１】
各条件式について、以下のように下限値、または上限値を変更しても良い、このようにすることで、各条件式の効果を一層確実にできるので好ましい。
【０１５２】
条件式（１）については、以下のようにすることが好ましい。
上限値は、−７．２が好ましく、−７．５がより好ましい。
下限値は、−８．４が好ましく、−８．３がより好ましい。
条件式（２）については、以下のようにすることが好ましい。
上限値は、５９が好ましく、５８がより好ましい。
下限値は、２３．５が好ましく、２５がより好ましい。
条件式（３）については、以下のようにすることが好ましい。
下限値は、５７が好ましく、６５がより好ましい。
条件式（４）については、以下のようにすることが好ましい。
下限値は、１．９０が好ましく、１．９５がより好ましい。
条件式（５）については、以下のようにすることが好ましい。
下限値は、５８が好ましく、６０がより好ましい。
条件式（６）については、以下のようにすることが好ましい。
上限値は、１．６４５が好ましく、１．６２がより好ましい。
条件式（７）については、以下のようにすることが好ましい。
上限値は、１．６が好ましく、１．５がより好ましい。
下限値は、０．７７が好ましく、０．８５がより好ましい。
条件式（８）については、以下のようにすることが好ましい。
上限値は、１．４が好ましく、１．２がより好ましい。
下限値は、０．９が好ましく、０．９５がより好ましい。
条件式（９）については、以下のようにすることが好ましい。
上限値は、１．３３が好ましく、１．３１がより好ましい。
下限値は、０．９が好ましく、１．１５がより好ましい。
条件式（１０）については、以下のようにすることが好ましい。
上限値は、１．５が好ましく、１．１がより好ましい。
下限値は、０．３が好ましく、０．４がより好ましい。
条件式（１１）については、以下のようにすることが好ましい。
上限値は、０．５が好ましく、０．２がより好ましい。
下限値は、−０．２７が好ましく、−０．２５がより好ましい。
条件式（１２）については、以下のようにすることが好ましい。
下限値は、０．３３が好ましく、０．３７がより好ましい。
条件式（１３）については、以下のようにすることが好ましい。
下限値は、３１が好ましく、３５がより好ましい。
条件式（１４）については、以下のようにすることが好ましい。
上限値は、−２．１が好ましく、−２．２がより好ましい。
下限値は、−４．７が好ましく、−４．５がより好ましい。
条件式（１５）については、以下のようにすることが好ましい。
上限値は、４．２が好ましく、３．９がより好ましい。
下限値は、１．５５が好ましく、１．６５がより好ましい。
条件式（１６）については、以下のようにすることが好ましい。
上限値は、０．４が好ましく、０．３２がより好ましい。
下限値は、−０．４６が好ましく、−０．４２がより好ましい。
条件式（１７）については、以下のようにすることが好ましい。
上限値は、０が好ましく、−０．１がより好ましい。
下限値は、−１．８が好ましく、−０．９がより好ましい。
条件式（１８）については、以下のようにすることが好ましい。
上限値は、０．２９が好ましく、０．２６がより好ましい。
下限値は、０．２１が好ましく、０．２２がより好ましい。
条件式（１９）については、以下のようにすることが好ましい。
上限値は、２．８が好ましく、２．４がより好ましい。
下限値は、１．２５が好ましく、１．３がより好ましい。
【０１５３】
以下に、ズームレンズの実施例を、図面に基づいて詳細に説明する。なお、この実施例によりこの発明が限定されるものではない。
【０１５４】
レンズ断面図について説明する。（ａ）は広角端におけるレンズ断面図、（ｂ）は中間焦点距離状態におけるレンズ断面図、（ｃ）は望遠端におけるレンズ断面図を示している。
【０１５５】
収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０１５６】
また、（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０１５７】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０１５８】
第１レンズ群はＧ１、第２レンズ群はＧ２、第３レンズ群はＧ３、第４レンズ群はＧ４、第５レンズ群はＧ５、開口絞り（明るさ絞り）はＳ、像面（撮像面）はＩで示してある。また、第５レンズ群Ｇ５と像面Ｉとの間に、撮像素子のカバーガラスＣが配置されている。
【０１５９】
また、図示しないが、第５レンズ群Ｇ５と像面Ｉとの間に、ローパスフィルタを構成する平行平板が配置されていても良い。なお、平行平板の表面に、赤外光を制限する波長域制限コートを施しても良い。また、カバーガラスＣの表面に波長域制限用の多層膜を施してもよい。また、そのカバーガラスＣにローパスフィルタ作用を持たせるようにしてもよい。
【０１６０】
実施例１のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０１６１】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０１６２】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０１６３】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０１６４】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０１６５】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０１６６】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。
【０１６７】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０１６８】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０１６９】
実施例２のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０１７０】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０１７１】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０１７２】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０１７３】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０１７４】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０１７５】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。
【０１７６】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０１７７】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０１７８】
実施例３のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０１７９】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０１８０】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０１８１】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０１８２】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０１８３】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０１８４】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０１８５】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０１８６】
非球面は、負メニスカスレンズＬ４の両面と、両凸正レンズＬ８の両面と、両凸正レンズＬ１３の像側面と、両凸正レンズＬ１６の物体側面と、の合計６面に設けられている。
【０１８７】
実施例４のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０１８８】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０１８９】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０１９０】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０１９１】
第４レンズ群Ｇ４は、両凸正レンズＬ１４と、両凹負レンズＬ１５と、で構成されている。ここで、両凸正レンズＬ１４と両凹負レンズＬ１５とが接合されている。
【０１９２】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０１９３】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０１９４】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０１９５】
非球面は、負メニスカスレンズＬ４の両面と、両凸正レンズＬ８の両面と、両凸正レンズＬ１３の像側面と、両凸正レンズＬ１６の物体側面と、の合計６面に設けられている。
【０１９６】
実施例５のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０１９７】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０１９８】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０１９９】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２００】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２０１】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２０２】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。
【０２０３】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２０４】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２０５】
実施例６のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２０６】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２０７】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２０８】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２０９】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２１０】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２１１】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２１２】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２１３】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２１４】
実施例７のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２１５】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２１６】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２１７】
第３レンズ群Ｇ３は、開口絞りＳと、物体側に凸面を向けた正メニスカスレンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２１８】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２１９】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２２０】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２２１】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２２２】
非球面は、負メニスカスレンズＬ４の両面と、正メニスカスレンズＬ８の両面と、両凸正レンズＬ１３の像側面と、両凸正レンズＬ１７の像側面と、の合計６面に設けられている。
【０２２３】
実施例８のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２２４】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２２５】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２２６】
第３レンズ群Ｇ３は、開口絞りＳと、物体側に凸面を向けた正メニスカスレンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２２７】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２２８】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２２９】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２３０】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２３１】
非球面は、負メニスカスレンズＬ４の両面と、正メニスカスレンズＬ８の両面と、両凸正レンズＬ１３の像側面と、両凸正レンズＬ１７の像側面と、の合計６面に設けられている。
【０２３２】
実施例９のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２３３】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２３４】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２３５】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２３６】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２３７】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２３８】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。
【０２３９】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２４０】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２４１】
実施例１０のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２４２】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２４３】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２４４】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２４５】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２４６】
第５レンズ群Ｇ５は、像側に凸面を向けた負メニスカスレンズＬ１６と、両凸正レンズＬ１７と、で構成されている。ここで、負メニスカスレンズＬ１６と両凸正レンズＬ１７とが接合されている。
【０２４７】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２４８】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２４９】
非球面は、負メニスカスレンズＬ４の両面と、両凸正レンズＬ８の両面と、両凸正レンズＬ１３の像側面と、両凸正レンズＬ１７の物体側面と、の合計６面に設けられている。
【０２５０】
実施例１１のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２５１】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２５２】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２５３】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２５４】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２５５】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２５６】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２５７】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２５８】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２５９】
実施例１２のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２６０】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２６１】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２６２】
第３レンズ群Ｇ３は、開口絞りＳと、両凸正レンズＬ８と、両凸正レンズＬ９と、物体側に凸面を向けた負メニスカスレンズＬ１０と、両凸正レンズＬ１１と、物体側に凸面を向けた負メニスカスレンズＬ１２と、両凸正レンズＬ１３と、で構成されている。ここで、負メニスカスレンズＬ１０と両凸正レンズＬ１１とが接合されている。また、負メニスカスレンズＬ１２と両凸正レンズＬ１３とが接合されている。
【０２６３】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２６４】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２６５】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２６６】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と両凸正レンズＬ１１の接合レンズであっても良い。
【０２６７】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２６８】
実施例１３のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２６９】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２７０】
第２レンズ群Ｇ２は、両凹負レンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２７１】
第３レンズ群Ｇ３は、開口絞りＳと、両凸正レンズＬ８と、両凸正レンズＬ９と、物体側に凸面を向けた負メニスカスレンズＬ１０と、両凸正レンズＬ１１と、物体側に凸面を向けた負メニスカスレンズＬ１２と、両凸正レンズＬ１３と、で構成されている。ここで、負メニスカスレンズＬ１０と両凸正レンズＬ１１とが接合されている。また、負メニスカスレンズＬ１２と両凸正レンズＬ１３とが接合されている。
【０２７２】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２７３】
第５レンズ群Ｇ５は、像側に凸面を向けた負メニスカスレンズＬ１６と、両凸正レンズＬ１７と、で構成されている。ここで、負メニスカスレンズＬ１６と両凸正レンズＬ１７とが接合されている。
【０２７４】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２７５】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と両凸正レンズＬ１１の接合レンズであっても良い。
【０２７６】
非球面は、両凹負レンズＬ４の両面と、両凸正レンズＬ８の両面と、両凸正レンズＬ１３の像側面と、両凸正レンズＬ１７の物体側面と、の合計６面に設けられている。
【０２７７】
実施例１４のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２７８】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２７９】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２８０】
第３レンズ群Ｇ３は、開口絞りＳと、両凸正レンズＬ８と、両凸正レンズＬ９と、物体側に凸面を向けた負メニスカスレンズＬ１０と、両凸正レンズＬ１１と、物体側に凸面を向けた負メニスカスレンズＬ１２と、両凸正レンズＬ１３と、で構成されている。ここで、負メニスカスレンズＬ１０と両凸正レンズＬ１１とが接合されている。また、負メニスカスレンズＬ１２と両凸正レンズＬ１３とが接合されている。
【０２８１】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２８２】
第５レンズ群Ｇ５は、像側に凸面を向けた負メニスカスレンズＬ１６と、両凸正レンズＬ１７と、で構成されている。ここで、負メニスカスレンズＬ１６と両凸正レンズＬ１７とが接合されている。
【０２８３】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０２８４】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と両凸正レンズＬ１１の接合レンズであっても良い
【０２８５】
非球面は、両凹負レンズＬ４の両面と、両凸正レンズＬ８の両面と、両凸正レンズＬ１３の像側面と、両凸正レンズＬ１７の物体側面と、の合計６面に設けられている。
【０２８６】
実施例１５のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２８７】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０２８８】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２８９】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２９０】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０２９１】
第５レンズ群Ｇ５は、物体側に凸面を向けた負メニスカスレンズＬ１６と、両凸正レンズＬ１７と、で構成されている。ここで、負メニスカスレンズＬ１６と両凸正レンズＬ１７とが接合されている。
【０２９２】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は像側に移動する。
【０２９３】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０２９４】
非球面は、負メニスカスレンズＬ４の両面と、両凸正レンズＬ８の両面と、両凸正レンズＬ１３の像側面と、両凸正レンズＬ１７の像側面と、の合計６面に設けられている。
【０２９５】
実施例１６のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０２９６】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０２９７】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０２９８】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０２９９】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０３００】
第５レンズ群Ｇ５は、像側に凸面を向けた負メニスカスレンズＬ１６と、両凸正レンズＬ１７と、で構成されている。ここで、負メニスカスレンズＬ１６と両凸正レンズＬ１７とが接合されている。
【０３０１】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は像側に移動する。
【０３０２】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０３０３】
非球面は、負メニスカスレンズＬ４の両面と、両凸正レンズＬ８の両面と、両凸正レンズＬ１３の像側面と、両凸正レンズＬ１７の物体側面と、の合計６面に設けられている。
【０３０４】
実施例１７のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０３０５】
第１レンズ群Ｇ１は、物体側に凸面を向けた負メニスカスレンズＬ１と、両凸正レンズＬ２と、物体側に凸面を向けた正メニスカスレンズＬ３と、で構成されている。ここで、負メニスカスレンズＬ１と両凸正レンズＬ２とが接合されている。
【０３０６】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０３０７】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０３０８】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０３０９】
第５レンズ群Ｇ５は、像側に凸面を向けた負メニスカスレンズ１６と、両凸正レンズＬＬ１７と、で構成されている。ここで、負メニスカスレンズＬ１６と両凸正レンズＬ１７とが接合されている。
【０３１０】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０３１１】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０３１２】
非球面は、負メニスカスレンズＬ４の両面と、両凸正レンズＬ８の両面と、両凸正レンズＬ１３の像側面と、両凸正レンズＬ１７の物体側面と、の合計６面に設けられている。
【０３１３】
実施例１８のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０３１４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、で構成されている。ここで、負メニスカスレンズＬ１と正メニスカスレンズＬ２とが接合されている。
【０３１５】
第２レンズ群Ｇ２は、両凹負レンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０３１６】
第３レンズ群Ｇ３は、開口絞りＳと、物体側に凸面を向けた正メニスカスレンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０３１７】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０３１８】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０３１９】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定である。
【０３２０】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０３２１】
非球面は、両凹負レンズＬ４の両面と、正メニスカスレンズＬ８の両面と、両凸正レンズＬ１３の像側面と、両凸正レンズＬ１６の物体側面と、の合計６面に設けられている。
【０３２２】
実施例１９のズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３内に配置されている。
【０３２３】
第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【０３２４】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。ここで、両凹負レンズＬ５と両凸正レンズＬ６とが接合されている。
【０３２５】
第３レンズ群Ｇ３は、開口絞りＳと、両凸正レンズＬ８と、両凸正レンズＬ９と、物体側に凸面を向けた負メニスカスレンズＬ１０と、物体側に凸面を向けた正メニスカスレンズＬ１１と、物体側に凸面を向けた負メニスカスレンズＬ１２と、両凸正レンズＬ１３と、で構成されている。ここで、負メニスカスレンズＬ１０と正メニスカスレンズＬ１１とが接合されている。また、負メニスカスレンズＬ１２と両凸正レンズＬ１３とが接合されている。
【０３２６】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０３２７】
第５レンズ群Ｇ５は、両凸正レンズＬ１６と、像側に凸面を向けた負メニスカスレンズＬ１７と、で構成されている。ここで、両凸正レンズＬ１６と負メニスカスレンズＬ１７とが接合されている。
【０３２８】
広角端から望遠端への変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動した後、像側に移動し、第５レンズ群Ｇ５は固定である。
【０３２９】
無限遠物体から近距離物体へのフォーカシング時、第４レンズ群Ｇ４は像側に移動する。手ブレ補正時、第３レンズ群Ｇ３の負メニスカスレンズＬ１２と両凸正レンズＬ１３の接合レンズが光軸と直交する方向に移動する。もしくは、手ブレ補正時に移動するレンズは、第３レンズ群Ｇ３の負メニスカスレンズＬ１０と正メニスカスレンズＬ１１の接合レンズであっても良い。
【０３３０】
非球面は、負メニスカスレンズＬ４の両面と、両凸正レンズＬ８の両面と、両凸正レンズＬ１３の像側面と、両凸正レンズＬ１６の物体側面と、の合計６面に設けられている。
【０３３１】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０３３２】
また、ズームデータにおいて、ＷＥは広角端、ＳＴは中間焦点距離状態、ＴＥは望遠端を表している。また、ｆは全系の焦点距離、ＦＮＯ．はＦナンバー、ωは半画角、ＩＨは像高、ＢＦはバックフォーカス、ＬＴＬは光学系の全長である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０３３３】
また、各群焦点距離において、ｆ１、ｆ２…は各レンズ群の焦点距離である。
【０３３４】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「ｅ−ｎ」（ｎは整数）は、「１０−ｎ」を示している。なお、これら諸元値の記号は後述の実施例の数値データにおいても共通である。
【０３３５】
数値実施例１
単位  ｍｍ
面データ
面番号         r          d         nd        νd
物面        ∞         ∞
1      94.387      2.50     1.85478    24.80
2      67.783      7.13     1.49700    81.54
3        ∞        0.15
4      61.099      5.02     1.49700    81.54
5     172.659      可変
6*    231.854      1.65     1.88227    37.18
7*     14.124      7.35
8     -22.507      1.00     1.59282    68.62
9      32.319      4.23     2.00069    25.46
10     -44.031      1.39
11     -21.208      1.20     1.83481    42.73
12     -40.812      可変
13(絞り)  ∞        1.50
14*     24.286      4.49     1.58253    59.32
15*   -700.000      4.37
16      56.643      3.37     1.49700    81.54
17     -56.643      0.50
18      43.590      1.00     1.91082    35.25
19      15.142      4.13     1.49700    81.54
20      47.223      1.20
21      24.303      0.80     1.85478    24.80
22      16.800      5.10     1.58253    59.32
23*    -71.500      可変
24     188.666      0.90     1.83481    42.73
25      11.201      3.10     1.80809    22.76
26      18.472      可変
27      30.000      1.20     2.00100    29.13
28      20.454      9.46     1.51593    64.25
29*    -31.238     12.22
30        ∞        4.00     1.51633    64.14
31        ∞        0.80
像面        ∞
非球面データ
第６面
k=0.000
A4=-7.50532e-06,A6=1.23396e-07,A8=-4.26522e-10,A10=6.20739e-13
第７面
k=0.000
A4=-3.12688e-05,A6=6.45994e-08,A8=-5.06358e-10,A10=1.39139e-11,
A12=-1.22469e-13,A14=3.55245e-16
第１４面
k=0.000
A4=-1.21943e-05,A6=-3.40663e-08,A8=-3.04610e-11,A10=4.72594e-13
第１５面
k=0.000
A4=7.50787e-06,A6=-4.91245e-08,A8=9.97723e-11
第２３面
k=0.000
A4=7.76950e-06,A6=-7.45428e-09,A8=-5.82084e-11
第２９面
k=0.000
A4=3.64978e-06,A6=-5.98934e-08,A8=1.63111e-10,A10=-4.69751e-13
ズームデータ
ＷＥ      ＳＴ      ＴＥ
ｆ                12.36     34.62     97.98
ＦＮＯ．           4.08      4.08      4.08
２ω              83.05     33.74     12.12
ＢＦ(in air)      15.67     15.65     15.69
ＬＴＬ(in air)   134.09    150.19    176.02
d5           0.72     25.09     53.60
d12         37.65     13.89      1.30
d23          2.44     10.11     20.20
d26          4.87     12.72     12.50
各群焦点距離
f1=110.52   f2=-14.17   f3=23.28   f4=-24.12   f5=39.58
【０３３６】
数値実施例２
単位  ｍｍ
面データ
面番号         r          d         nd        νd
物面        ∞         ∞
1      92.076      2.50     1.85478    24.80
2      66.463      7.23     1.49700    81.54
3        ∞        0.15
4      60.017      5.04     1.49700    81.54
5     165.389      可変
6*    150.938      1.65     1.88227    37.18
7*     13.667      7.35
8     -21.491      1.00     1.59282    68.62
9      31.144      4.13     2.00069    25.46
10     -42.582      1.17
11     -22.083      1.20     1.83481    42.73
12     -49.886      可変
13(絞り)  ∞        1.50
14*     23.726      4.23     1.58253    59.32
15*   -416.167      4.15
16      52.017      3.48     1.49700    81.54
17     -52.017      0.50
18      66.000      1.00     1.91082    35.25
19      15.750      3.81     1.49700    81.54
20      62.829      1.20
21      23.802      0.80     1.85478    24.80
22      17.322      5.17     1.58253    59.32
23*    -56.874      可変
24     154.658      0.90     1.83481    42.73
25      11.055      3.48     1.80809    22.76
26      17.500      可変
27      30.000      1.20     2.00100    29.13
28      20.354     10.00     1.51593    64.25
29*    -31.081     11.35
30        ∞        4.00     1.51633    64.14
31        ∞        0.80
像面        ∞
非球面データ
第６面
k=0.000
A4=-5.71018e-06,A6=8.04156e-08,A8=-2.16056e-10,A10=2.98312e-13,
A12=5.00000e-17
第７面
k=0.000
A4=-2.80152e-05,A6=3.52486e-08,A8=-1.99144e-09,A10=5.01593e-11,
A12=-5.07690e-13,A14=1.99802e-15
第１４面
k=0.000
A4=-7.30206e-06,A6=-5.47006e-08,A8=8.97192e-11,A10=-2.64931e-13
第１５面
k=0.000
A4=1.56126e-05,A6=-7.25350e-08,A8=2.12984e-10,A10=-7.46710e-13
第２３面
k=0.000
A4=1.04497e-05,A6=6.73868e-09,A8=-3.08576e-11
第２９面
k=0.000
A4=4.07614e-06,A6=-7.27569e-08,A8=2.16624e-10,A10=-5.77199e-13
ズームデータ
ＷＥ      ＳＴ      ＴＥ
ｆ                12.36     34.63     98.01
ＦＮＯ．           4.07      4.07      4.07
２ω              83.05     33.70     12.09
ＢＦ(in air)      14.79     14.78     14.83
ＬＴＬ(in air)   132.16    148.03    174.29
d5           0.64     24.35     53.29
d12         35.84     12.97      1.30
d23          2.44     10.16     19.66
d26          5.59     12.92     12.37
各群焦点距離
f1=108.76   f2=-13.51   f3=22.60   f4=-23.36   f5=39.71
【０３３７】
数値実施例３
単位  ｍｍ
面データ
面番号         r          d         nd        νd
物面        ∞         ∞
1     138.864      2.50     1.85478    24.80
2      93.630      4.81     1.49700    81.54
3   -3355.271      0.15
4      60.642      4.43     1.49700    81.54
5     174.982      可変
6*    547.663      1.50     1.88202    37.22
7*     16.167      8.05
8     -23.902      1.00     1.61800    63.40
9      36.492      4.66     2.00069    25.46
10     -42.975      2.79
11     -19.012      1.00     1.88300    40.76
12     -30.591      可変
13(絞り)  ∞        1.50
14*     26.075      4.08     1.58313    59.38
15*   -282.871      4.00
16      35.853      3.75     1.49700    81.54
17     -64.689      0.50
18      47.932      1.00     1.91082    35.25
19      16.686      2.29     1.49700    81.54
20      24.749      1.20
21      23.568      0.90     1.85478    24.80
22      16.012      5.57     1.58313    59.38
23*    -50.961      可変
24     214.189      0.90     1.83481    42.73
25      12.571      2.64     1.80810    22.76
26      18.917      可変
27*     44.742      7.78     1.49700    81.54
28     -24.960      1.30     1.90366    31.32
29     -29.434     14.36
30        ∞        4.00     1.51633    64.14
31        ∞        0.80
像面        ∞
非球面データ
第６面
k=0.000
A4=-2.16835e-06,A6=1.31298e-07,A8=-5.06743e-10,A10=7.69634e-13
第７面
k=0.000
A4=-2.19260e-05,A6=6.66708e-08,A8=7.53277e-10,A10=-4.44491e-12
第１４面
k=0.000
A4=-7.65240e-06,A6=-1.02176e-08,A8=5.46368e-11
第１５面
k=0.000
A4=1.33574e-05,A6=-1.83553e-08,A8=7.53148e-11
第２３面
k=0.000
A4=8.79672e-06,A6=5.90701e-10
第２７面
k=0.000
A4=-2.95297e-07,A6=1.46181e-08
ズームデータ
ＷＥ      ＳＴ      ＴＥ
ｆ                12.24     30.98     78.38
ＦＮＯ．           4.08      4.08      4.08
２ω              83.95     38.23     15.30
ＢＦ(in air)      17.82     17.78     17.76
ＬＴＬ(in air)   132.31    141.24    172.65
d5           0.60     19.78     52.91
d12         38.68     13.03      1.20
d23          2.50     10.48     20.35
d26          4.40     11.88     12.13
各群焦点距離
f1=127.08   f2=-15.45   f3=23.33   f4=-24.54   f5=40.36
【０３３８】
数値実施例４
単位  ｍｍ
面データ
面番号         r          d         nd        νd
物面        ∞         ∞
1      95.525      2.30     1.85478    24.80
2      68.074      7.55     1.49700    81.54
3    -767.529      0.15
4      62.581      4.78     1.49700    81.54
5     174.408      可変
6*    243.654      1.50     1.88202    37.22
7*     14.287      7.55
8     -19.803      1.20     1.61800    63.40
9      38.059      4.59     2.00069    25.46
10     -34.196      1.40
11     -19.169      1.30     1.88300    40.76
12     -34.403      可変
13(絞り)  ∞        1.50
14*     21.814      5.18     1.58313    59.38
15*    -91.531      3.12
16     290.000      3.04     1.49700    81.54
17     -36.113      0.40
18     116.284      1.00     1.91082    35.25
19      16.738      3.29     1.49700    81.54
20      45.083      1.20
21      24.279      0.80     1.85478    24.80
22      17.124      5.44     1.58313    59.38
23*    -49.287      可変
24     102.058      2.91     1.80809    22.76
25     -24.502      0.90     1.80610    40.92
26      17.396      可変
27*     30.000      9.31     1.49700    81.54
28     -22.231      1.30     2.00100    29.13
29     -33.019     11.87
30        ∞        4.00     1.51633    64.14
31        ∞        0.80
像面        ∞
非球面データ
第６面
k=0.000
A4=-1.88239e-05,A6=3.02782e-07,A8=-1.26448e-09,A10=2.07030e-12
第７面
k=0.000
A4=-4.82209e-05,A6=1.44150e-07,A8=2.12599e-09,A10=-1.43449e-11
第１４面
k=0.000
A4=-1.44228e-05,A6=-1.81726e-08,A8=4.98079e-11
第１５面
k=0.000
A4=1.95511e-05,A6=-3.48201e-08,A8=1.12912e-10
第２３面
k=0.000
A4=7.96460e-06,A6=1.93548e-08,A8=-3.83185e-11
第２７面
k=0.000
A4=1.00000e-06,A6=4.26086e-08,A8=-9.41927e-11
ズームデータ
ＷＥ      ＳＴ      ＴＥ
ｆ                12.35     34.62     98.01
ＦＮＯ．           4.05      4.07      4.06
２ω              82.40     34.12     12.21
ＢＦ(in air)      15.27     15.24     15.32
ＬＴＬ(in air)   130.50    138.78    174.07
d5           0.60     16.72     52.69
d12         35.40      9.82      1.30
d23          2.54     13.52     19.51
d26          4.98     11.77     13.56
各群焦点距離
f1=106.10   f2=-14.02   f3=23.37   f4=-26.62   f5=42.56
【０３３９】
数値実施例５
単位  ｍｍ
面データ
面番号         r          d         nd        νd
物面        ∞         ∞
1      92.330      2.30     1.85478    24.80
2      66.183      7.33     1.49700    81.54
3        ∞        0.15
4      58.624      5.27     1.49700    81.54
5     170.722      可変
6*    199.597      1.50     1.88202    37.22
7*     13.743      7.30
8     -21.554      1.20     1.59282    68.62
9      30.689      4.24     2.00069    25.46
10     -41.517      1.78
11     -20.439      1.30     1.83481    42.73
12     -45.367      可変
13(絞り)  ∞        1.50
14*     24.022      4.00     1.58313    59.38
15*  -5000.000      4.02
16      59.547      3.62     1.49700    81.54
17     -43.776      0.50
18      46.990      1.00     1.91082    35.25
19      15.619      3.51     1.49700    81.54
20      40.630      1.20
21      20.659      0.80     1.85478    24.80
22      15.352      5.79     1.51633    64.06
23*    -48.459      可変
24     142.418      0.90     1.83481    42.73
25      10.808      3.25     1.80809    22.76
26      17.500      可変
27      30.000      1.30     2.00100    29.13
28      19.978     10.08     1.51633    64.14
29*    -30.675     10.84
30        ∞        4.00     1.51633    64.14
31        ∞        0.80
像面        ∞
非球面データ
第６面
k=0.000
A4=-1.77339e-06,A6=7.59356e-08,A8=-2.74484e-10,A10=4.67371e-13
第７面
k=0.000
A4=-2.40353e-05,A6=-2.17379e-08,A8=4.85237e-10,A10=-3.05745e-12
第１４面
k=0.000
A4=-7.74508e-06,A6=-3.08062e-08,A8=-3.85797e-10
第１５面
k=0.000
A4=1.67327e-05,A6=-3.37654e-08,A8=-4.42299e-10
第２３面
k=0.000
A4=1.24090e-05,A6=4.13154e-09,A8=2.08033e-11
第２９面
k=0.000
A4=8.38521e-07,A6=-4.73583e-08,A8=6.37866e-11,A10=-3.10086e-13
ズームデータ
ＷＥ      ＳＴ      ＴＥ
ｆ                12.28     34.63     98.00
ＦＮＯ．           4.07      4.09      4.07
２ω              83.45     33.74     12.10
ＢＦ(in air)      14.30     14.28     14.30
ＬＴＬ(in air)   132.17    145.12    174.08
d5           0.60     21.63     52.68
d12         34.88     11.37      1.30
d23          2.51     11.36     19.52
d26          6.02     12.62     12.43
各群焦点距離
f1=106.03   f2=-13.12   f3=22.52   f4=-23.60   f5=39.97
【０３４０】
数値実施例６
単位  ｍｍ
面データ
面番号         r          d         nd        νd
物面        ∞         ∞
1      94.644      2.50     1.85478    24.80
2      68.036      7.05     1.49700    81.54
3        ∞        0.15
4      60.062      5.10     1.49700    81.54
5     173.633      可変
6*    202.797      1.65     1.88202    37.22
7*     14.079      7.40
8     -20.580      1.00     1.59282    68.62
9      34.497      4.23     2.00069    25.46
10     -39.610      1.41
11     -19.623      1.20     1.83481    42.73
12     -37.436      可変
13(絞り)  ∞        1.50
14*     23.558      4.21     1.58313    59.38
15*   -297.671      4.10
16      55.026      3.62     1.49700    81.54
17     -45.245      0.50
18      64.615      1.00     1.91082    35.25
19      15.638      3.58     1.49700    81.54
20      45.000      1.20
21      23.579      0.80     1.85478    24.80
22      17.001      5.30     1.58313    59.38
23*    -55.002      可変
24     135.353      0.90     1.83481    42.73
25      11.000      3.15     1.80809    22.76
26      17.566      可変
27      30.000      1.20     2.00100    29.13
28      20.204      9.95     1.51633    64.14
29*    -31.360     11.12
30        ∞        4.00     1.51633    64.14
31        ∞        0.80
像面        ∞
非球面データ
第６面
k=0.000
A4=-7.61514e-06,A6=1.72618e-07,A8=-7.73140e-10,A10=1.40082e-12
第７面
k=0.000
A4=-3.27699e-05,A6=1.47073e-07,A8=-2.57495e-09,A10=6.05980e-11,
A12=-5.97956e-13,A14=1.88456e-15
第１４面
k=0.000
A4=-7.00824e-06,A6=-1.80540e-08,A8=-1.23124e-10,A10=4.63732e-13
第１５面
k=0.000
A4=1.88380e-05,A6=-3.00983e-08,A8=-3.56964e-11
第２３面
k=0.000
A4=9.95603e-06,A6=-8.71075e-09,A8=2.57174e-10,A10=-1.23011e-12
第２９面
k=0.000
A4=1.00890e-06,A6=-6.12315e-08,A8=1.92293e-10,A10=-6.86329e-13
ズームデータ
ＷＥ      ＳＴ      ＴＥ
ｆ                12.36     34.63     98.00
ＦＮＯ．           4.08      4.09      4.08
２ω              83.11     33.79     12.14
ＢＦ(in air)      14.56     14.54     14.57
ＬＴＬ(in air)   132.06    144.57    174.08
d5           0.63     22.06     53.63
d12         36.14     11.89      1.30
d23          2.51     11.14     19.27
d26          5.52     12.24     12.61
各群焦点距離
f1=108.72   f2=-13.76   f3=22.80   f4=-23.91   f5=40.12
【０３４１】
数値実施例７
単位  ｍｍ
面データ
面番号         r          d         nd        νd
物面        ∞         ∞
1      94.862      2.30     1.85478    24.80
2      67.725      7.14     1.49700    81.54
3        ∞        0.15
4      59.563      5.29     1.49700    81.54
5     178.829      可変
6*    277.602      1.50     1.85135    40.10
7*     13.987      7.35
8     -21.989      1.20     1.59282    68.62
9      32.063      4.03     2.00069    25.46
10     -47.556      1.55
11     -20.983      1.30     1.83481    42.73
12     -39.971      可変
13(絞り)  ∞        1.50
14*     22.814      3.69     1.58313    59.38
15*    132.921      3.41
16      42.076      3.94     1.49700    81.54
17     -47.024      0.50
18      44.313      1.00     1.91082    35.25
19      14.663      3.76     1.49700    81.54
20      39.990      1.20
21      25.520      0.80     1.85478    24.80
22      19.002      4.79     1.59201    67.02
23*    -56.434      可変
24     121.261      0.90     1.83481    42.73
25      10.763      3.78     1.80809    22.76
26      17.840      可変
27      30.000      1.30     2.00100    29.13
28      19.143     10.34     1.51633    64.14
29*    -30.227     11.61
30        ∞        4.00     1.51633    64.14
31        ∞        0.80
像面        ∞
非球面データ
第６面
k=0.000
A4=1.57456e-06,A6=7.02732e-08,A8=-2.65285e-10,A10=4.29620e-13
第７面
k=0.000
A4=-1.96584e-05,A6=1.15738e-08,A8=3.66175e-10,A10=-8.43569e-13
第１４面
k=0.000
A4=-9.11595e-06,A6=-3.53021e-08,A8=-3.79037e-10
第１５面
k=0.000
A4=1.58570e-05,A6=-4.11512e-08,A8=-4.06231e-10
第２３面
k=0.000
A4=9.20006e-06,A6=-6.86593e-10
第２９面
k=0.000
A4=-2.51883e-07,A6=-4.61441e-08,A8=5.59859e-11,A10=-4.61977e-13
ズームデータ
ＷＥ      ＳＴ      ＴＥ
ｆ                12.28     34.62     98.00
ＦＮＯ．           4.07      4.07      4.07
２ω              83.44     33.75     12.10
ＢＦ(in air)      15.06     15.03     15.06
ＬＴＬ(in air)   132.16    145.32    174.07
d5           0.60     22.15     53.23
d12         35.79     11.86      1.30
d23          2.51     10.97     19.04
d26          5.48     12.59     12.73
各群焦点距離
f1=107.50   f2=-13.69   f3=22.60   f4=-24.80   f5=41.14
【０３４２】
数値実施例８
単位  ｍｍ
面データ
面番号         r          d         nd        νd
物面        ∞         ∞
1      94.903      2.30     1.85478    24.80
2      67.906      7.01     1.49700    81.54
3        ∞        0.15
4      59.377      5.29     1.49700    81.54
5     180.701      可変
6*    266.105      1.50     1.85135    40.10
7*     14.041      7.40
8     -23.048      1.20     1.59282    68.62
9      29.447      4.20     2.00069    25.46
10     -47.325      1.31
11     -21.940      1.30     1.83481    42.73
12     -50.649      可変
13(絞り)  ∞        1.50
14*     22.959      3.91     1.58313    59.38
15*    355.464      3.67
16      56.909      3.67     1.49700    81.54
17     -46.024      0.50
18      50.779      1.00     1.91082    35.25
19      15.223      3.88     1.49700    81.54
20      54.561      1.20
21      24.498      0.80     1.85478    24.80
22      17.421      5.13     1.59201    67.02
23*    -56.759      可変
24     119.978      0.90     1.80400    46.57
25      10.171      3.48     1.80809    22.76
26      16.076      可変
27      30.000      1.30     2.00100    29.13
28      19.033     10.44     1.51633    64.14
29*    -29.578     10.82
30        ∞        4.00     1.51633    64.14
31        ∞        0.80
像面        ∞
非球面データ
第６面
k=0.000
A4=4.11148e-06,A6=3.99766e-08,A8=-1.70384e-10,A10=3.05186e-13
第７面
k=0.000
A4=-1.44023e-05,A6=-1.63674e-08,A8=4.86033e-10,A10=-2.82106e-12
第１４面
k=0.000
A4=-9.56972e-06,A6=-3.09123e-08,A8=-3.27923e-10
第１５面
k=0.000
A4=1.51315e-05,A6=-3.70823e-08,A8=-3.59209e-10
第２３面
k=0.000
A4=8.87338e-06,A6=-1.90718e-10
第２９面
k=0.000
A4=-3.51851e-06,A6=-2.18767e-08,A8=-1.07188e-10,A10=-1.48622e-13
ズームデータ
ＷＥ      ＳＴ      ＴＥ
ｆ                12.28     34.62     97.99
ＦＮＯ．           4.07      4.09      4.09
２ω              83.43     33.75     12.11
ＢＦ(in air)      14.28     14.23     14.27
ＬＴＬ(in air)   132.13    143.18    172.65
d5           0.60     20.93     52.49
d12         36.06     11.53      1.30
d23          2.50     11.10     18.71
d26          5.65     12.35     12.85
各群焦点距離
f1=106.76   f2=-13.56   f3=22.39   f4=-23.64   f5=40.79
【０３４３】
数値実施例９
単位  ｍｍ
面データ
面番号         r          d         nd        νd
物面        ∞         ∞
1      97.776      2.50     1.85478    24.80
2      70.393      7.00     1.49700    81.54
3        ∞        0.15
4      62.473      5.07     1.49700    81.54
5     182.546      可変
6*    233.595      2.50     1.80610    40.92
7*     13.697      8.10
8     -21.099      1.20     1.59282    68.62
9      35.528      3.92     2.00069    25.46
10     -51.395      1.69
11     -20.079      1.30     1.83481    42.73
12     -31.621      可変
13(絞り)  ∞        1.50
14*     24.177      4.32     1.58313    59.38
15*   -202.531      3.92
16      43.364      3.76     1.49700    81.54
17     -53.186      0.50
18      85.412      1.00     1.91082    35.25
19      15.740      3.55     1.49700    81.54
20      45.000      1.20
21      25.562      0.80     1.85478    24.80
22      18.554      5.14     1.58313    59.38
23*    -47.600      可変
24     171.263      0.90     1.83481    42.73
25      11.122      3.31     1.80809    22.76
26      19.000      可変
27      30.000      1.30     2.00100    29.13
28      19.782      9.85     1.51633    64.14
29*    -32.052     11.40
30        ∞        4.00     1.51633    64.14
31        ∞        0.80
像面        ∞
非球面データ
第６面
k=0.000
A4=-6.23383e-06,A6=1.01504e-07,A8=-3.40772e-10,A10=4.60986e-13
第７面
k=0.000
A4=-3.21777e-05,A6=3.09142e-08,A8=-3.76476e-10,A10=1.19180e-11,
A12=-1.04587e-13,A14=1.67217e-16
第１４面
k=0.000
A4=-4.57303e-06,A6=-4.16211e-09,A8=-9.99965e-11,A10=5.55856e-13
第１５面
k=0.000
A4=1.92873e-05,A6=-1.72071e-08,A8=1.88390e-11
第２３面
k=0.000
A4=9.52491e-06,A6=8.39073e-10,A8=6.01858e-11
第２９面
k=0.000
A4=2.86058e-06,A6=-7.29324e-08,A8=2.99285e-10,A10=-1.03066e-12
ズームデータ
ＷＥ      ＳＴ      ＴＥ
ｆ                12.28     34.63     98.00
ＦＮＯ．           4.08      4.07      4.08
２ω              83.48     33.75     12.10
ＢＦ(in air)      14.85     14.83     14.87
ＬＴＬ(in air)   136.55    146.53    178.11
d5           0.60     20.72     54.78
d12         38.49     11.99      1.30
d23          2.56     11.74     19.78
d26          5.55     12.75     12.88
各群焦点距離
f1=112.33   f2=-14.27   f3=23.50   f4=-25.15   f5=41.37
【０３４４】
数値実施例１０
単位  ｍｍ
面データ
面番号         r          d         nd        νd
物面        ∞         ∞
1      93.435      2.30     1.85478    24.80
2      67.476      7.36     1.49700    81.54
3   -4070.905      0.15
4      58.563      5.22     1.49700    81.54
5     169.257      可変
6*    435.257      1.50     1.88202    37.22
7*     14.713      7.45
8     -19.285      1.20     1.61800    63.40
9      38.636      4.64     2.00069    25.46
10     -35.100      1.62
11     -18.834      1.30     1.88300    40.76
12     -32.239      可変
13(絞り)  ∞        1.50
14*     21.901      4.33     1.58313    59.38
15*   -264.540      3.44
16      89.201      3.34     1.53775    74.70
17     -40.822      0.40
18      70.377      1.00     1.91082    35.25
19      15.392      3.47     1.49700    81.54
20      40.910      1.20
21      23.876      0.80     1.85478    24.80
22      17.038      5.25     1.58313    59.38
23*    -52.928      可変
24     174.914      0.90     1.83481    42.73
25      11.062      3.34     1.80809    22.76
26      18.825      可変
27      30.000      1.30     2.00100    29.13
28      21.715      9.68     1.49700    81.54
29*    -32.034     12.00
30        ∞        4.00     1.51633    64.14
31        ∞        0.80
像面        ∞
非球面データ
第６面
k=0.000
A4=-2.09906e-06,A6=1.69300e-07,A8=-7.61489e-10,A10=1.42413e-12
第７面
k=0.000
A4=-2.63401e-05,A6=1.05588e-07,A8=8.58335e-10,A10=-4.56534e-12
第１４面
k=0.000
A4=-9.76379e-06,A6=4.51506e-09,A8=-2.24038e-10
第１５面
k=0.000
A4=2.13406e-05,A6=-4.11329e-09,A8=-2.02182e-10
第２３面
k=0.000
A4=7.55568e-06,A6=1.10690e-08,A8=3.53798e-11
第２９面
k=0.000
A4=2.96901e-06,A6=-5.66675e-08,A8=2.18503e-10,A10=-5.85823e-13
ズームデータ
ＷＥ      ＳＴ      ＴＥ
ｆ                12.36     34.63     98.01
ＦＮＯ．           4.08      4.08      4.07
２ω              82.61     33.96     12.18
ＢＦ(in air)      15.45     15.42     15.48
ＬＴＬ(in air)   131.44    144.74    173.20
d5           0.62     21.29     52.51
d12         35.39     11.67      1.30
d23          2.56     11.06     18.35
d26          4.71     12.59     12.86
各群焦点距離
f1=104.96   f2=-13.85   f3=22.93   f4=-24.83   f5=40.37
【０３４５】
数値実施例１１
単位  ｍｍ
面データ
面番号         r          d         nd        νd
物面        ∞         ∞
1      96.654      2.50     1.85478    24.80
2      68.972      7.05     1.49700    81.54
3        ∞        0.15
4      59.662      5.16     1.49700    81.54
5     174.229      可変
6*    162.713      1.65     1.88052    37.17
7*     13.850      7.36
8     -21.183      1.00     1.59282    68.62
9      31.779      4.15     2.00069    25.46
10     -43.296      1.35
11     -21.193      1.20     1.83481    42.73
12     -42.594      可変
13(絞り)  ∞        1.50
14*     23.901      4.14     1.58253    59.32
15*   -406.739      3.84
16      48.100      3.70     1.49700    81.54
17     -48.100      0.50
18      66.000      1.00     1.91082    35.25
19      15.507      3.71     1.49700    81.54
20      50.727      1.20
21      24.523      0.80     1.85478    24.80
22      17.859      5.12     1.58253    59.32
23*    -52.522      可変
24     134.838      0.90     1.83481    42.73
25      11.000      3.47     1.80809    22.76
26      17.500      可変
27      30.000      1.20     2.00100    29.13
28      19.799     10.10     1.51593    64.25
29*    -30.584     11.14
30        ∞        4.00     1.51633    64.14
31        ∞        0.80
像面        ∞
非球面データ
第６面
k=0.000
A4=-5.77781e-06,A6=1.10300e-07,A8=-3.78631e-10,A10=4.50834e-13,
A12=1.02073e-15,A14=-1.91695e-18
第７面
k=0.000
A4=-2.82349e-05,A6=1.10626e-07,A8=-3.02561e-09,A10=6.48799e-11,
A12=-6.00343e-13,A14=2.12998e-15
第１４面
k=0.000
A4=-5.77715e-06,A6=-6.66472e-08,A8=2.81951e-10,A10=-2.02398e-12
第１５面
k=0.000
A4=1.87021e-05,A6=-7.22335e-08,A8=2.50887e-10,A10=-1.96088e-12
第２３面
k=0.000
A4=9.56313e-06,A6=4.31157e-09,A8=8.43502e-12
第２９面
k=0.000
A4=3.70582e-06,A6=-9.46558e-08,A8=3.92268e-10,A10=-1.24714e-12
ズームデータ
ＷＥ      ＳＴ      ＴＥ
ｆ                12.36     34.63     98.01
ＦＮＯ．           4.08      4.07      4.08
２ω              83.03     33.73     12.10
ＢＦ(in air)      14.59     14.57     14.63
ＬＴＬ(in air)   132.16    145.00    174.30
d5           0.64     22.24     53.61
d12         36.16     12.06      1.30
d23          2.51     10.99     19.49
d26          5.52     12.40     12.55
各群焦点距離
f1=109.32   f2=-13.73   f3=22.67   f4=-23.85   f5=40.26
【０３４６】
数値実施例１２
単位  ｍｍ
面データ
面番号         r          d         nd        νd
物面        ∞         ∞
1      94.366      2.50     1.85478    24.80
2      68.468      7.10     1.49700    81.54
3        ∞        0.15
4      63.551      5.04     1.49700    81.54
5     181.501      可変
6*   3133.633      1.65     1.88227    37.18
7*     15.184      7.37
8     -21.101      1.00     1.59282    68.62
9      40.498      4.73     2.00069    25.46
10     -36.316      1.25
11     -20.635      1.20     1.83481    42.73
12     -40.395      可変
13(絞り)  ∞        1.50
14*     23.840      4.55     1.58253    59.32
15*   -426.939      4.68
16     526.800      2.98     1.49700    81.54
17     -39.013      0.50
18      67.963      1.00     1.91082    35.25
19      17.675      5.85     1.49700    81.54
20     -82.478      1.20
21      32.342      0.80     1.85478    24.80
22      21.913      3.70     1.58253    59.32
23*   -546.379      可変
24     193.583      0.90     1.83481    42.73
25      12.026      3.04     1.80809    22.76
26      19.719      可変
27      30.000      2.10     2.00100    29.13
28      20.365      9.83     1.51593    64.25
29*    -31.797     13.21
30        ∞        4.00     1.51633    64.14
31        ∞        0.80
像面        ∞
非球面データ
第６面
k=0.000
A4=-6.31402e-06,A6=1.94733e-07,A8=-8.23491e-10,A10=1.31860e-12
第７面
k=0.000
A4=-3.04438e-05,A6=1.02028e-07,A8=1.01245e-09,A10=2.84462e-13,
A12=-6.29940e-14,A14=1.34598e-16
第１４面
k=0.000
A4=-1.14806e-05,A6=-4.58752e-08,A8=9.39748e-11,A10=5.17355e-13
第１５面
k=0.000
A4=1.22534e-05,A6=-6.09464e-08,A8=1.78078e-10,A10=3.23059e-13
第２３面
k=0.000
A4=-5.23796e-07,A6=8.34472e-09,A8=-5.40068e-11
第２９面
k=0.000
A4=5.10991e-06,A6=-4.20251e-08,A8=6.43559e-11,A10=-1.58035e-13
ズームデータ
ＷＥ      ＳＴ      ＴＥ
ｆ                12.36     34.63     98.01
ＦＮＯ．           4.08      4.08      4.09
２ω              83.01     33.73     12.13
ＢＦ(in air)      16.66     16.63     16.69
ＬＴＬ(in air)   137.04    155.06    181.47
d5           0.85     26.38     54.59
d12         38.10     14.21      1.30
d23          2.36     10.34     20.90
d26          4.45     12.89     13.36
各群焦点距離
f1=112.04   f2=-14.43   f3=24.11   f4=-25.87   f5=40.08
【０３４７】
数値実施例１３
単位  ｍｍ
面データ
面番号         r          d         nd        νd
物面        ∞         ∞
1      94.549      2.50     1.85478    24.80
2      68.094      7.10     1.49700    81.54
3  -51694.132      0.15
4      61.764      5.04     1.49700    81.54
5     179.112      可変
6*  -1061.313      1.65     1.88227    37.18
7*     15.238      7.37
8     -21.012      1.00     1.59282    68.62
9      40.169      4.69     2.00069    25.46
10     -36.096      1.35
11     -20.354      1.20     1.83481    42.73
12     -38.760      可変
13(絞り)  ∞        1.50
14*     23.691      4.57     1.58253    59.32
15*   -426.121      4.89
16     282.161      3.09     1.49700    81.54
17     -38.945      0.50
18      80.781      1.00     1.91082    35.25
19      17.475      4.79     1.49700    81.54
20    -108.796      1.20
21      30.543      0.80     1.85478    24.80
22      21.495      0.01     1.56384    60.67
23      21.495      3.98     1.58253    59.32
24*   -217.658      可変
25     447.009      0.90     1.83481    42.73
26      11.964      3.20     1.80809    22.76
27      20.628      可変
28      30.000      1.40     2.00100    29.13
29      20.227      9.98     1.51593    64.25
30*    -30.226     13.77
31        ∞        4.00     1.51633    64.14
32        ∞        0.80
像面        ∞
非球面データ
第６面
k=0.000
A4=-3.88820e-06,A6=1.87086e-07,A8=-7.95151e-10,A10=1.25527e-12
第７面
k=0.000
A4=-2.77730e-05,A6=8.80767e-08,A8=1.51145e-09,A10=-7.73362e-12,
A12=1.53630e-14,A14=-1.43758e-16
第１４面
k=0.000
A4=-1.05694e-05,A6=-6.45470e-08,A8=1.20208e-10,A10=1.00841e-12
第１５面
k=0.000
A4=1.25817e-05,A6=-8.27502e-08,A8=2.56287e-10,A10=6.01735e-13
第２４面
k=0.000
A4=5.60083e-07,A6=1.19957e-08,A8=-8.00000e-11
第３０面
k=0.000
A4=5.86052e-06,A6=-3.89769e-08,A8=5.06557e-11,A10=-1.39335e-13
ズームデータ
ＷＥ      ＳＴ      ＴＥ
ｆ                12.36     34.63     98.01
ＦＮＯ．           4.08      4.08      4.08
２ω              82.99     33.72     12.13
ＢＦ(in air)      17.21     17.18     17.23
ＬＴＬ(in air)   136.88    154.11    180.42
d5           0.90     25.97     53.97
d12         38.09     14.02      1.30
d24          2.84     10.91     20.96
d27          3.99     12.18     13.11
各群焦点距離
f1=110.17   f2=-14.38   f3=24.13   f4=-25.30   f5=39.22
【０３４８】
数値実施例１４
単位  ｍｍ
面データ
面番号         r          d         nd        νd
物面        ∞         ∞
1      95.949      2.50     1.85478    24.80
2      68.626      7.09     1.49700    81.54
3   -8377.942      0.15
4      61.585      5.04     1.49700    81.54
5     177.353      可変
6*    716.535      1.65     1.88227    37.18
7*     15.145      7.37
8     -21.580      1.00     1.59282    68.62
9      36.981      4.78     2.00069    25.46
10     -38.844      1.28
11     -22.082      1.20     1.83481    42.73
12     -49.197      可変
13(絞り)  ∞        1.50
14*     23.676      4.56     1.58253    59.32
15*   -439.208      4.90
16     172.588      3.04     1.49700    81.54
17     -41.929      0.50
18      81.016      1.00     1.91082    35.25
19      17.182      4.64     1.49700    81.54
20    -209.248      1.20
21      28.562      0.80     1.85478    24.80
22      21.421      4.20     1.58253    59.32
23*   -116.583      可変
24     287.459      0.90     1.83481    42.73
25      11.939      2.98     1.80809    22.76
26      19.021      可変
27      30.000      1.20     2.00100    29.13
28      20.470      9.99     1.51593    64.25
29*    -30.111     13.36
30        ∞        4.00     1.51633    64.14
31        ∞        0.80
像面        ∞
非球面データ
第６面
k=0.000
A4=2.05267e-07,A6=1.11693e-07,A8=-4.56214e-10,A10=7.21619e-13
第７面
k=0.000
A4=-1.92544e-05,A6=7.37941e-08,A8=-2.92949e-11,A10=1.49465e-11,
A12=-1.61994e-13,A14=5.47982e-16
第１４面
k=0.000
A4=-1.28520e-05,A6=-7.10602e-08,A8=1.20613e-10,A10=-1.29681e-13
第１５面
k=0.000
A4=8.98467e-06,A6=-9.15893e-08,A8=2.91742e-10,A10=-8.64068e-13
第２３面
k=0.000
A4=3.12260e-06,A6=1.05725e-08,A8=-8.00000e-11
第２９面
k=0.000
A4=4.74827e-06,A6=-4.34195e-08,A8=6.95050e-11,A10=-1.89705e-13
ズームデータ
ＷＥ      ＳＴ      ＴＥ
ｆ                12.36     34.63     98.00
ＦＮＯ．           4.08      4.08      4.08
２ω              83.00     33.71     12.14
ＢＦ(in air)      16.79     16.78     16.82
ＬＴＬ(in air)   135.67    153.96    179.58
d5           0.80     26.73     54.10
d12         37.38     14.09      1.30
d23          3.28     10.98     21.27
d26          3.97     11.93     12.63
各群焦点距離
f1=110.71   f2=-14.03   f3=23.69   f4=-23.98   f5=38.77
【０３４９】
数値実施例１５
単位  ｍｍ
面データ
面番号         r          d         nd        νd
物面        ∞         ∞
1      93.583      2.50     1.85478    24.80
2      67.801      7.15     1.49700    81.54
3        ∞        0.15
4      61.858      4.97     1.49700    81.54
5     174.464      可変
6*    287.786      1.65     1.88227    37.18
7*     14.613      7.38
8     -23.154      1.00     1.59282    68.63
9      31.923      4.85     2.00069    25.46
10     -43.491      1.35
11     -22.987      1.20     1.83481    42.71
12     -55.345      可変
13(絞り)  ∞        1.50
14*     24.239      4.37     1.58253    59.32
15*   -431.399      4.59
16      52.169      3.55     1.43875    94.93
17     -51.001      0.10
18      43.970      1.00     1.91082    35.25
19      15.684      3.73     1.49700    81.54
20      46.399      1.10
21      25.066      0.80     1.85478    24.80
22      17.519      4.99     1.58253    59.32
23*    -71.142      可変
24     110.789      0.90     1.83481    42.71
25      11.274      3.07     1.80810    22.76
26      17.325      可変
27      30.229      1.20     2.00100    29.13
28      21.475      9.15     1.51593    64.25
29*    -32.812      可変
30        ∞        4.00     1.51633    64.14
31        ∞        0.80
像面        ∞
非球面データ
第６面
k=0.000
A4=2.25898e-07,A6=4.22819e-08,A8=-8.98072e-11,A10=1.00869e-13
第７面
k=0.000
A4=-1.88770e-05,A6=-6.85675e-09,A8=2.53859e-10,A10=-1.95293e-12,
A12=2.06991e-14
第１４面
k=0.000
A4=-1.05225e-05,A6=-1.99885e-08,A8=-3.85739e-11,A10=3.64450e-13
第１５面
k=0.000
A4=1.05698e-05,A6=-3.47712e-08,A8=7.58436e-11
第２３面
k=0.000
A4=7.69926e-06,A6=8.54623e-10,A8=-3.49269e-11
第２９面
k=0.000
A4=2.60150e-06,A6=-5.83870e-08,A8=1.49538e-10,A10=-3.65912e-13
ズームデータ
ＷＥ      ＳＴ      ＴＥ
ｆ                12.36     34.63     97.98
ＦＮＯ．           4.07      4.08      4.08
２ω              83.00     33.76     12.14
ＢＦ(in air)      15.97     15.50     14.55
ＬＴＬ(in air)   132.66    148.69    175.54
d5           0.75     24.75     53.60
d12         36.27     13.05      1.30
d23          2.47     10.80     21.04
d26          4.96     12.34     12.80
d29         12.51     12.08     11.08
各群焦点距離
f1=110.44   f2=-13.94   f3=23.09   f4=-24.46   f5=39.46
【０３５０】
数値実施例１６
単位  ｍｍ
面データ
面番号         r          d         nd        νd
物面        ∞         ∞
1      95.079      2.50     1.85478    24.80
2      68.232      7.15     1.49700    81.54
3   -3617.707      0.15
4      61.430      4.97     1.49700    81.54
5     170.088      可変
6*    258.176      1.65     1.88227    37.18
7*     14.511      7.55
8     -21.242      1.00     1.43875    94.93
9      37.222      3.80     1.92286    20.88
10     -89.968      1.65
11     -23.138      1.20     1.88300    40.76
12     -35.361      可変
13(絞り)  ∞        1.50
14*     25.480      4.11     1.58253    59.32
15*   -428.292      5.56
16      49.370      3.66     1.43875    94.93
17     -50.004      0.10
18      48.458      1.00     1.91082    35.25
19      16.450      3.59     1.49700    81.54
20      50.864      1.10
21      25.537      0.80     1.85478    24.80
22      17.931      4.94     1.58253    59.32
23*    -72.348      可変
24      97.559      0.90     1.83481    42.71
25      11.406      3.10     1.80810    22.76
26      17.138      可変
27      30.229      1.20     2.00100    29.13
28      21.727      9.00     1.51593    64.25
29*    -35.062      可変
30        ∞        4.00     1.51633    64.14
31        ∞        0.80
像面        ∞
非球面データ
第６面
k=0.000
A4=-1.59702e-06,A6=4.07266e-08,A8=-3.08315e-11,A10=-4.51690e-14
第７面
k=0.000
A4=-2.16368e-05,A6=-1.80689e-08,A8=2.53431e-10,A10=-2.20429e-12,
A12=3.51364e-14
第１４面
k=0.000
A4=-7.98350e-06,A6=-2.95058e-08,A8=4.84105e-11,A10=-6.17600e-14
第１５面
k=0.000
A4=1.15167e-05,A6=-3.59430e-08,A8=5.13666e-11
第２３面
k=0.000
A4=7.42561e-06,A6=2.63480e-09,A8=-2.84963e-11
第２９面
k=0.000
A4=1.81113e-06,A6=-6.95321e-08,A8=2.31304e-10,A10=-5.68376e-13
ズームデータ
ＷＥ      ＳＴ      ＴＥ
ｆ                12.36     34.63     97.97
ＦＮＯ．           4.08      4.07      4.08
２ω              82.99     33.81     12.15
ＢＦ(in air)      16.20     15.31     14.36
ＬＴＬ(in air)   133.38    149.38    176.01
d5           0.76     24.64     53.60
d12         36.87     13.35      1.30
d23          2.80     11.28     21.67
d26          4.57     12.63     12.90
d29         12.74     11.88     10.90
各群焦点距離
f1=110.30   f2=-14.01   f3=23.63   f4=-24.86   f5=40.53
【０３５１】
数値実施例１７
単位  ｍｍ
面データ
面番号         r          d         nd        νd
物面        ∞         ∞
1      94.396      2.50     1.85478    24.80
2      68.283      7.10     1.49700    81.54
3  -13762.746      0.15
4      61.694      4.92     1.49700    81.54
5     169.527      可変
6*    255.318      1.65     1.88227    37.18
7*     14.243      7.50
8     -21.189      1.00     1.59282    68.63
9      35.053      4.47     2.05023    27.00
10     -36.266      1.10
11     -21.767      1.20     1.83481    42.71
12     -56.277      可変
13(絞り)  ∞        1.50
14*     23.219      4.51     1.58253    59.32
15*   -660.457      4.17
16      65.382      3.44     1.49700    81.54
17     -53.694      0.45
18      54.655      1.00     1.91082    35.25
19      15.446      3.97     1.49700    81.54
20      69.236      1.20
21      25.201      0.80     1.85478    24.80
22      18.092      4.84     1.58253    59.32
23*    -70.149      可変
24     213.860      0.90     1.83481    42.71
25      11.484      3.10     1.80810    22.76
26      18.898      可変
27      30.229      1.20     2.00100    29.13
28      20.202      9.62     1.51593    64.25
29*    -30.260     12.69
30        ∞        4.00     1.51633    64.14
31        ∞        0.80
像面        ∞
非球面データ
第６面
k=0.000
A4=-1.04869e-05,A6=1.54782e-07,A8=-5.55781e-10,A10=8.46666e-13
第７面
k=0.000
A4=-3.52903e-05,A6=8.36972e-08,A8=-3.35235e-10,A10=6.98324e-12,
A12=-4.01323e-14
第１４面
k=0.000
A4=-1.13226e-05,A6=-1.21642e-08,A8=-2.28856e-10,A10=9.52724e-13
第１５面
k=0.000
A4=9.93458e-06,A6=-3.15931e-08,A8=-6.14539e-12
第２３面
k=0.000
A4=8.35105e-06,A6=-5.28477e-09,A8=8.37223e-12
第２９面
k=0.000
A4=4.41962e-06,A6=-6.03687e-08,A8=1.88526e-10,A10=-6.28225e-13
ズームデータ
ＷＥ      ＳＴ      ＴＥ
ｆ                12.36     34.63     97.99
ＦＮＯ．           4.08      4.08      4.07
２ω              83.00     33.67     12.10
ＢＦ(in air)      16.14     16.12     16.17
ＬＴＬ(in air)   133.74    149.74    176.36
d5           0.78     25.00     54.27
d12         37.63     13.67      1.30
d23          2.55     10.27     19.82
d26          4.35     12.39     12.51
各群焦点距離
f1=111.21   f2=-14.35   f3=23.28   f4=-24.40   f5=39.60
【０３５２】
数値実施例１８
単位  ｍｍ
面データ
面番号         r          d         nd        νd
物面        ∞         ∞
1      90.000      2.25     1.85478    24.80
2      65.454      7.76     1.49700    81.54
3   20927.998      0.15
4      59.213      5.26     1.49700    81.54
5     171.192      可変
6*  -5028.066      1.50     1.88202    37.22
7*     15.068      7.45
8     -20.468      1.00     1.61800    63.40
9      36.320      6.00     2.00069    25.46
10     -35.963      2.38
11     -19.044      1.00     1.88300    40.76
12     -34.702      可変
13(絞り)  ∞        1.50
14*     21.251      6.66     1.58313    59.38
15*  11979.842      1.33
16      39.852      3.68     1.49700    81.54
17     -45.826      0.40
18      60.222      1.00     1.91082    35.25
19      14.439      3.01     1.49700    81.54
20      30.786      1.20
21      22.835      0.80     1.85478    24.80
22      17.035      5.25     1.58313    59.38
23*    -46.877      可変
24     204.227      0.90     1.83481    42.73
25      10.978      3.15     1.80809    22.76
26      18.341      可変
27*     62.161      8.73     1.49700    81.54
28     -16.373      1.30     2.00100    29.13
29     -21.214     12.74
30        ∞        4.00     1.51633    64.14
31        ∞        0.80
像面        ∞
非球面データ
第６面
k=0.000
A4=-1.27605e-07,A6=1.05520e-07,A8=-3.98597e-10,A10=6.60399e-13
第７面
k=0.000
A4=-2.44732e-05,A6=4.79428e-08,A8=4.13990e-10,A10=-1.35460e-12
第１４面
k=0.000
A4=-9.32034e-06,A6=-2.28948e-08,A8=-1.25381e-11
第１５面
k=0.000
A4=2.52025e-05,A6=-3.19289e-08,A8=2.30417e-11
第２３面
k=0.000
A4=8.61500e-06,A6=2.20310e-08
第２７面
k=0.000
A4=-5.27238e-06,A6=4.45361e-08,A8=-5.86662e-11
ズームデータ
ＷＥ      ＳＴ      ＴＥ
ｆ                12.24     34.63     97.92
ＦＮＯ．           4.06      4.03      4.05
２ω              83.54     33.74     12.12
ＢＦ(in air)      16.20     16.16     16.20
ＬＴＬ(in air)   131.57    147.05    173.58
d5           0.60     23.25     53.47
d12         34.23     11.77      1.30
d23          2.40      9.43     16.00
d26          4.48     12.78     12.94
各群焦点距離
f1=105.23   f2=-13.45   f3=21.92   f4=-23.71   f5=41.17
【０３５３】
数値実施例１９
単位  ｍｍ
面データ
面番号         r          d         nd        νd
物面        ∞         ∞
1      90.000      2.30     1.85478    24.80
2      65.592      7.38     1.49700    81.54
3        ∞        0.15
4      59.096      5.13     1.49700    81.54
5     173.762      可変
6*    464.875      1.50     1.88202    37.22
7*     14.784      7.45
8     -20.119      1.20     1.61800    63.40
9      35.728      5.00     2.00069    25.46
10     -33.690      1.91
11     -19.739      1.30     1.88300    40.76
12     -42.267      可変
13(絞り)  ∞        1.50
14*     23.000      5.00     1.58313    59.38
15*   -262.448      3.26
16      43.079      3.72     1.49700    81.54
17     -41.898      0.40
18      85.095      1.00     1.91082    35.25
19      15.097      3.28     1.49700    81.54
20      45.596      1.20
21      23.870      0.80     1.85478    24.80
22      17.905      5.08     1.58313    59.38
23*    -53.454      可変
24     155.034      0.90     1.83481    42.73
25      10.571      3.28     1.80809    22.76
26      17.967      可変
27*     59.278      9.08     1.49700    81.54
28     -17.171      1.30     2.00100    29.13
29     -22.118     12.59
30        ∞        4.00     1.51633    64.14
31        ∞        0.80
像面        ∞
非球面データ
第６面
k=0.000
A4=-5.56888e-06,A6=1.34080e-07,A8=-4.47331e-10,A10=6.81629e-13
第７面
k=0.000
A4=-2.85137e-05,A6=6.42427e-08,A8=1.98844e-10,A10=2.26086e-12
第１４面
k=0.000
A4=-5.39823e-06,A6=-2.50029e-08,A8=5.76417e-12
第１５面
k=0.000
A4=2.40146e-05,A6=-2.95811e-08,A8=2.30417e-11
第２３面
k=0.000
A4=9.69024e-06,A6=1.35975e-08,A8=-1.89268e-12
第２７面
k=0.000
A4=-3.70004e-06,A6=3.88725e-08,A8=-3.74807e-11
ズームデータ
ＷＥ      ＳＴ      ＴＥ
ｆ                12.24     34.63     97.92
ＦＮＯ．           4.09      4.08      4.08
２ω              83.61     33.83     12.12
ＢＦ(in air)      16.06     16.02     16.04
ＬＴＬ(in air)   131.59    146.40    172.58
d5           0.60     22.30     51.61
d12         34.93     12.19      1.32
d23          2.39      9.88     17.87
d26          4.49     12.90     12.62
各群焦点距離
f1=104.21   f2=-13.28   f3=22.30   f4=-23.95   f5=41.57
【０３５４】
次に、各実施例における条件式の値を以下に掲げる。
実施例１    実施例２    実施例３    実施例４
(1)f1G/f2G            -7.80       -8.05       -8.22       -7.57
(2)ν22n-ν21n        31.44       31.44       26.18       26.18
(3)νdG2N             68.62       68.62       63.40       63.40
(4)ndG2P               2.00069     2.00069     2.00069     2.00069
(5)νdG2L2N           68.62       68.62       63.40       63.40
(6)ndG2L2N             1.59282     1.59282     1.618       1.618
(7)(β2W/β3W)
/(β2T/β3T)        1.064       1.031       1.403       0.964
(8)f1G/fT              1.128       1.110       1.621       1.083
(9)fG2F/fG2            1.207       1.268       1.224       1.231
(10)(RG21+RG22)
/(RG21-RG22)       0.701       0.503       0.894       0.753
(11)(RG2L1R+RG2L2F)
/(RG2L1R-RG2L2F)  -0.229      -0.223      -0.193      -0.162
(12)ndG2CP-ndG2CN      0.408       0.408       0.383       0.383
(13)νdG2CN-νdG2CP   43.16       43.16       37.94       37.94
(14)(RG2R1+RG2R2)
/(RG2R1-RG2R2)    -3.164      -2.589      -4.284      -3.517
(15)(RG2r2RR+RG2r1RF)
/(RG2r2RR-RG2r1RF) 2.859       3.155       2.587       3.551
(16)(RG2PF+RG2PR)
/(RG2PF-RG2PR)    -0.153      -0.155      -0.082       0.053
(17)fT/ExpT           -0.467      -0.490      -0.435      -0.571
(18)f3G/fT             0.238       0.231       0.298       0.239
(19)fIS/fISG           1.607       1.483       1.426       1.405
実施例５    実施例６    実施例７    実施例８
(1)f1G/f2G            -8.08       -7.90       -7.85       -7.87
(2)ν22n-ν21n        31.40       31.40       28.52       28.52
(3)νdG2N             68.62       68.62       68.62       68.62
(4)ndG2P               2.00069     2.00069     2.00069     2.00069
(5)νdG2L2N           68.62       68.62       68.62       68.62
(6)ndG2L2N             1.59282     1.59282     1.59282     1.59282
(7)(β2W/β3W)
/(β2T/β3T)        0.986       1.003       0.989       1.004
(8)f1G/fT              1.082       1.109       1.097       1.089
(9)fG2F/fG2            1.280       1.252       1.267       1.288
(10)(RG21+RG22)
/(RG21-RG22)       0.630       0.688       0.748       0.680
(11)(RG2L1R+RG2L2F)
/(RG2L1R-RG2L2F)  -0.221      -0.188      -0.222      -0.243
(12)ndG2CP-ndG2CN      0.408       0.408       0.408       0.408
(13)νdG2CN-νdG2CP   43.16       43.16       43.16       43.16
(14)(RG2R1+RG2R2)
/(RG2R1-RG2R2)    -2.640      -3.203      -3.210      -2.528
(15)(RG2r2RR+RG2r1RF)
/(RG2r2RR-RG2r1RF) 2.939       2.964       2.579       2.729
(16)(RG2PF+RG2PR)
/(RG2PF-RG2PR)    -0.150      -0.069      -0.195      -0.233
(17)fT/ExpT           -0.490      -0.489      -0.490      -0.490
(18)f3G/fT             0.230       0.233       0.231       0.228
(19)fIS/fISG           1.511       1.451       1.496       1.507
実施例９    実施例１０  実施例１１  実施例１２
(1)f1G/f2G            -7.87       -7.58       -7.96       -7.76
(2)ν22n-ν21n        27.70       26.18       31.45       31.44
(3)νdG2N             68.62       63.40       68.62       68.62
(4)ndG2P               2.00069     2.00069     2.00069     2.00069
(5)νdG2L2N           68.62       63.40       68.62       68.62
(6)ndG2L2N             1.59282     1.618       1.59282     1.59282
(7)(β2W/β3W)
/(β2T/β3T)        1.035       0.922       1.028       1.054
(8)f1G/fT              1.146       1.071       1.115       1.143
(9)fG2F/fG2            1.271       1.249       1.259       1.198
(10)(RG21+RG22)
/(RG21-RG22)       0.762       0.862       0.585       0.975
(11)(RG2L1R+RG2L2F)
/(RG2L1R-RG2L2F)  -0.213      -0.134      -0.209      -0.163
(12)ndG2CP-ndG2CN      0.408       0.383       0.408       0.408
(13)νdG2CN-νdG2CP   43.16       37.94       43.16       43.16
(14)(RG2R1+RG2R2)
/(RG2R1-RG2R2)    -4.479      -3.810      -2.981      -3.089
(15)(RG2r2RR+RG2r1RF)
/(RG2r2RR-RG2r1RF) 2.282       3.316       2.918       3.632
(16)(RG2PF+RG2PR)
/(RG2PF-RG2PR)    -0.183       0.048      -0.153       0.054
(17)fT/ExpT           -0.490      -0.501      -0.490      -0.359
(18)f3G/fT             0.240       0.234       0.231       0.246
(19)fIS/fISG           1.403       1.443       1.468       2.735
実施例１３  実施例１４  実施例１５  実施例１６
(1)f1G/f2G            -7.66       -7.89       -7.92       -7.87
(2)ν22n-ν21n        31.44       31.44       31.45       57.75
(3)νdG2N             68.62       68.62       68.63       94.93
(4)ndG2P               2.00069     2.00069     2.00069     1.92286
(5)νdG2L2N           68.62       68.62       68.63       94.93
(6)ndG2L2N             1.59282     1.59282     1.59282     1.43875
(7)(β2W/β3W)
/(β2T/β3T)        1.028       1.039       1.058       1.047
(8)f1G/fT              1.124       1.130       1.127       1.126
(9)fG2F/fG2            1.183       1.251       1.255       1.248
(10)(RG21+RG22)
/(RG21-RG22)       1.076       0.872       0.677       0.759
(11)(RG2L1R+RG2L2F)
/(RG2L1R-RG2L2F)  -0.159      -0.175      -0.226      -0.188
(12)ndG2CP-ndG2CN      0.408       0.408       0.408       0.484
(13)νdG2CN-νdG2CP   43.16       43.16       43.17       74.05
(14)(RG2R1+RG2R2)
/(RG2R1-RG2R2)    -3.212      -2.629      -2.421      -4.786
(15)(RG2r2RR+RG2r1RF)
/(RG2r2RR-RG2r1RF) 3.586       3.635       3.242       1.692
(16)(RG2PF+RG2PR)
/(RG2PF-RG2PR)     0.053      -0.025      -0.153      -0.415
(17)fT/ExpT           -0.319      -0.365      -0.465      -0.499
(18)f3G/fT             0.246       0.242       0.236       0.241
(19)fIS/fISG           2.300       1.911       1.642       1.629
実施例１７  実施例１８  実施例１９
(1)f1G/f2G            -7.75       -7.82       -7.85
(2)ν22n-ν21n        31.45       26.18       26.18
(3)νdG2N             68.63       63.40       63.40
(4)ndG2P               2.05023     2.00069     2.00069
(5)νdG2L2N           68.63       63.40       63.40
(6)ndG2L2N             1.59282     1.618       1.618
(7)(β2W/β3W)
/(β2T/β3T)        1.041       0.864       0.954
(8)f1G/fT              1.135       1.075       1.064
(9)fG2F/fG2            1.195       1.266       1.306
(10)(RG21+RG22)
/(RG21-RG22)       0.639       1.014       0.833
(11)(RG2L1R+RG2L2F)
/(RG2L1R-RG2L2F)  -0.196     -0.152       -0.153
(12)ndG2CP-ndG2CN      0.457       0.383       0.383
(13)νdG2CN-νdG2CP   41.63       37.94       37.94
(14)(RG2R1+RG2R2)
/(RG2R1-RG2R2)    -2.261     -3.432       -2.752
(15)(RG2r2RR+RG2r1RF)
/(RG2r2RR-RG2r1RF) 4.003       3.251       3.830
(16)(RG2PF+RG2PR)
/(RG2PF-RG2PR)    -0.017       0.005       0.029
(17)fT/ExpT           -0.445     -0.490       -0.490
(18)f3G/fT             0.238       0.224       0.228
(19)fIS/fISG           1.603       1.379       1.452
【０３５５】
図３９は、電子撮像装置としての一眼ミラーレスカメラの断面図である。図３９において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０３５６】
そして、一眼ミラーレスカメラ１の撮影光学系２として、例えば上記実施例１〜１９に示したズームレンズが用いられる。
【０３５７】
図４０、図４１は、撮像装置の構成の概念図を示す。図４０は撮像装置としてのデジタルカメラ４０の前方斜視図、図４１は同後方斜視図である。このデジタルカメラ４０の撮影光学系４１に、本実施例のズームレンズが用いられている。
【０３５８】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０３５９】
図４２は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０３６０】
図４２に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３６１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３６２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３６３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３６４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３６５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３６６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３６７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３６８】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０３６９】
以上のように、本発明に係るズームレンズは、小型でありながら、広い画角と大きな変倍比を有し、収差が良好に補正されたズームレンズ及びそれを備えた撮像装置に適している。また、本発明に係るズームレンズは、Ｆナンバーが小さく、望遠端での撮影時に手ブレの発生が少ないズームレンズ及びそれを備えた撮像装置に適している。
【符号の説明】
【０３７０】
Ｇ１  第１レンズ群
Ｇ２  第２レンズ群
Ｇ３  第３レンズ群
Ｇ４  第４レンズ群
Ｇ５  第５レンズ群
Ｓ  明るさ絞り
Ｃ  カバーガラス
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
0006705638.tif 000002
【図２】
0006705638.tif 000003
【図３】
0006705638.tif 000004
【図４】
0006705638.tif 000005
【図５】
0006705638.tif 000006
【図６】
0006705638.tif 000007
【図７】
0006705638.tif 000008
【図８】
0006705638.tif 000009
【図９】
0006705638.tif 000010
【図１０】
0006705638.tif 000011
【図１１】
0006705638.tif 000012
【図１２】
0006705638.tif 000013
【図１３】
0006705638.tif 000014
【図１４】
0006705638.tif 000015
【図１５】
0006705638.tif 000016
【図１６】
0006705638.tif 000017
【図１７】
0006705638.tif 000018
【図１８】
0006705638.tif 000019
【図１９】
0006705638.tif 000020
【図２０】
0006705638.tif 000021
【図２１】
0006705638.tif 000022
【図２２】
0006705638.tif 000023
【図２３】
0006705638.tif 000024
【図２４】
0006705638.tif 000025
【図２５】
0006705638.tif 000026
【図２６】
0006705638.tif 000027
【図２７】
0006705638.tif 000028
【図２８】
0006705638.tif 000029
【図２９】
0006705638.tif 000030
【図３０】
0006705638.tif 000031
【図３１】
0006705638.tif 000032
【図３２】
0006705638.tif 000033
【図３３】
0006705638.tif 000034
【図３４】
0006705638.tif 000035
【図３５】
0006705638.tif 000036
【図３６】
0006705638.tif 000037
【図３７】
0006705638.tif 000038
【図３８】
0006705638.tif 000039
【図３９】
0006705638.tif 000040
【図４０】
0006705638.tif 000041
【図４１】
0006705638.tif 000042
【図４２】
0006705638.tif 000043